(57)【特許請求の範囲】
【請求項１】
時間領域において部分的に重複した又は完全に重複したＮ個のアップリンク制御情報（ＵＣＩ）を搬送するリソースを端末デバイスが決定する段階であって、前記Ｎ個のＵＣＩは、少なくとも１つのビームチャネル品質情報と、チャネル状態情報又は確認応答／否定応答（ＡＣＫ／ＮＡＣＫ）のうちの少なくとも１つとを含み、Ｎは２より大きいか２に等しい整数である、段階と、
前記端末デバイスが前記Ｎ個のＵＣＩの優先度に基づいてＭ個のＵＣＩをアクセスネットワークデバイスに送信する段階であって、前記Ｍ個のＵＣＩの優先度が前記Ｎ個のＵＣＩのうちの他の（Ｎ−Ｍ）個のＵＣＩの優先度より高く、ＭはＮより小さいかＮに等しい正の整数である、段階と
を備える情報伝送方法であって、
前記ビームチャネル品質情報の優先度が前記チャネル状態情報の優先度より高く、及び／又は前記ビームチャネル品質情報の優先度が前記ＡＣＫ／ＮＡＣＫの優先度より低い、方法。
【請求項２】
前記ビームチャネル品質情報は、前記端末デバイスにより選択されたビームのチャネル品質情報である、請求項１に記載の方法。
【請求項３】
前記チャネル状態情報は、ランク指標（ＲＩ）、プリコーティング行列指標（ＰＭＩ）、チャネル品質指標（ＣＱＩ）、又はプリコーディングタイプ指標（ＰＴＩ）のうちの少なくとも１つを含む、請求項１又は２に記載の方法。
【請求項４】
前記ＰＭＩは、ワイドバンド（ＷＢ）のＰＭＩ及び／又はサブバンド（ＳＢ）のＰＭＩを含む、請求項３に記載の方法。
【請求項５】
前記ＣＱＩは、ワイドバンド（ＷＢ）のＣＱＩ及び／又はサブバンド（ＳＢ）のＣＱＩを含む、請求項３又は４に記載の方法。
【請求項６】
前記方法はさらに、
前記Ｎ個のＵＣＩを搬送するリソースの時間単位情報を示す指示情報を、前記端末デバイスが前記アクセスネットワークデバイスから受信する段階を備える、請求項１から５のいずれか一項に記載の方法。
【請求項７】
時間領域において部分的に重複する又は完全に重複するＮ個のアップリンク制御情報（ＵＣＩ）を搬送するリソースを端末デバイスが前記決定する段階はさらに、
前記指示情報に従って、時間領域において部分的に重複する又は完全に重複する前記Ｎ個のＵＣＩを搬送する前記リソースを前記端末デバイスが決定する段階を含む、請求項６に記載の方法。
【請求項８】
アクセスネットワークデバイスが指示情報を端末デバイスに送信する段階であって、前記指示情報は、Ｎ個のアップリンク制御情報（ＵＣＩ）を搬送するリソースの時間単位情報を前記端末デバイスに示すのに用いられ、前記Ｎ個のＵＣＩは、少なくとも１つのビームチャネル品質情報と、チャネル状態情報又は確認応答／否定応答（ＡＣＫ／ＮＡＣＫ）のうちの少なくとも１つとを含み、Ｎは２より大きいか２に等しい整数である、段階と、
前記アクセスネットワークデバイスが前記Ｎ個のＵＣＩのうちのＭ個のＵＣＩを前記端末デバイスから受信する段階であって、前記Ｍ個のＵＣＩの優先度が前記Ｎ個のＵＣＩのうちの他の（Ｎ−Ｍ）個のＵＣＩの優先度より高く、ＭはＮより小さいかＮに等しい正の整数である、段階と
を備える情報伝送方法であって、
前記ビームチャネル品質情報の優先度が前記チャネル状態情報の優先度より高く、及び／又は前記ビームチャネル品質情報の優先度が前記ＡＣＫ／ＮＡＣＫの優先度より低い、方法。
【請求項９】
前記ビームチャネル品質情報は、前記端末デバイスにより選択されたビームのチャネル品質情報である、請求項８に記載の方法。
【請求項１０】
前記チャネル状態情報は、ランク指標（ＲＩ）、プリコーティング行列指標（ＰＭＩ）、チャネル品質指標（ＣＱＩ）、又はプリコーディングタイプ指標（ＰＴＩ）のうちの少なくとも１つを含む、請求項８又は９に記載の方法。
【請求項１１】
前記ＰＭＩは、ワイドバンド（ＷＢ）のＰＭＩ及び／又はサブバンド（ＳＢ）のＰＭＩを含む、請求項１０に記載の方法。
【請求項１２】
前記ＣＱＩは、ワイドバンド（ＷＢ）のＣＱＩ及び／又はサブバンド（ＳＢ）のＣＱＩを含む、請求項１０又は１１に記載の方法。
【請求項１３】
前記Ｎ個のＵＣＩを搬送する前記リソースは、時間領域において部分的に重複する又は完全に重複する、請求項８から１２のいずれか一項に記載の方法。
【請求項１４】
時間領域において部分的に重複する又は完全に重複するＮ個のアップリンク制御情報（ＵＣＩ）を搬送するリソースを決定するように構成された処理モジュールであって、前記Ｎ個のＵＣＩは、少なくとも１つのビームチャネル品質情報と、チャネル状態情報又は確認応答／否定応答（ＡＣＫ／ＮＡＣＫ）のうちの少なくとも１つとを含み、Ｎは２より大きいか２に等しい整数である、処理モジュールと、
前記Ｎ個のＵＣＩの優先度に基づいてＭ個のＵＣＩをアクセスネットワークデバイスに送信するように構成された送信モジュールであって、前記Ｍ個のＵＣＩの優先度が前記Ｎ個のＵＣＩのうちの他の（Ｎ−Ｍ）個のＵＣＩの優先度より高く、ＭはＮより小さいかＮに等しい正の整数である、送信モジュールと
を備える情報伝送装置であって、
前記ビームチャネル品質情報の優先度が前記チャネル状態情報の優先度より高く、及び／又は前記ビームチャネル品質情報の優先度が前記ＡＣＫ／ＮＡＣＫの優先度より低い、装置。
【請求項１５】
前記ビームチャネル品質情報は、前記情報伝送装置により選択されたビームのチャネル品質情報である、請求項１４に記載の装置。
【請求項１６】
前記チャネル状態情報は、ランク指標（ＲＩ）、プリコーティング行列指標（ＰＭＩ）、チャネル品質指標（ＣＱＩ）、又はプリコーディングタイプ指標（ＰＴＩ）のうちの少なくとも１つを含む、請求項１４又は１５に記載の装置。
【請求項１７】
前記ＰＭＩは、ワイドバンド（ＷＢ）のＰＭＩ及び／又はサブバンド（ＳＢ）のＰＭＩを含む、請求項１６に記載の装置。
【請求項１８】
前記ＣＱＩは、ワイドバンド（ＷＢ）のＣＱＩ及び／又はサブバンド（ＳＢ）のＣＱＩを含む、請求項１６又は１７に記載の装置。
【請求項１９】
前記装置はさらに受信モジュールを備え、前記受信モジュールは、前記Ｎ個のＵＣＩを搬送するリソースの時間単位情報を示す指示情報を前記アクセスネットワークデバイスから受信するように構成される、請求項１４から１８のいずれか一項に記載の装置。
【請求項２０】
前記処理モジュールは、前記指示情報に従って、時間領域において部分的に重複する又は完全に重複する前記Ｎ個のＵＣＩを搬送する前記リソースを決定するように構成される、請求項１９に記載の装置。
【請求項２１】
指示情報を端末デバイスに送信するように構成された送信モジュールであって、前記指示情報はＮ個のアップリンク制御情報（ＵＣＩ）を搬送するリソースの時間単位情報を前記端末デバイスに示すのに用いられ、前記Ｎ個のＵＣＩは、少なくとも１つのビームチャネル品質情報と、チャネル状態情報又は確認応答／否定応答（ＡＣＫ／ＮＡＣＫ）のうちの少なくとも１つとを含み、Ｎは２より大きいか２に等しい整数である、送信モジュールと、
Ｍ個のＵＣＩを前記端末デバイスから受信するように構成された受信モジュールであって、前記Ｍ個のＵＣＩの優先度が前記Ｎ個のＵＣＩのうちの他の（Ｎ−Ｍ）個のＵＣＩの優先度より高く、ＭはＮより小さいかＮに等しい正の整数である、受信モジュールと
を備える情報伝送装置であって、
前記ビームチャネル品質情報の優先度が前記チャネル状態情報の優先度より高く、及び／又は前記ビームチャネル品質情報の優先度が前記ＡＣＫ／ＮＡＣＫの優先度より低い、装置。
【請求項２２】
前記ビームチャネル品質情報は、前記端末デバイスにより選択されたビームのチャネル品質情報である、請求項２１に記載の装置。
【請求項２３】
前記チャネル状態情報は、ランク指標（ＲＩ）、プリコーティング行列指標（ＰＭＩ）、チャネル品質指標（ＣＱＩ）、又はプリコーディングタイプ指標（ＰＴＩ）のうちの少なくとも１つを含む、請求項２１又は２２に記載の装置。
【請求項２４】
前記ＰＭＩは、ワイドバンド（ＷＢ）のＰＭＩ及び／又はサブバンド（ＳＢ）のＰＭＩを含む、請求項２３に記載の装置。
【請求項２５】
前記ＣＱＩは、ワイドバンド（ＷＢ）のＣＱＩ及び／又はサブバンド（ＳＢ）のＣＱＩを含む、請求項２３又は２４に記載の装置。
【請求項２６】
前記Ｎ個のＵＣＩを搬送する前記リソースは、時間領域において部分的に重複する又は完全に重複する、請求項２１から２５のいずれか一項に記載の装置。
【請求項２７】
時間領域において部分的に重複する又は完全に重複するＮ個のアップリンク制御情報（ＵＣＩ）を搬送するリソースを決定するように構成されたプロセッサであって、前記Ｎ個のＵＣＩは、少なくとも１つのビームチャネル品質情報と、チャネル状態情報又は確認応答／否定応答（ＡＣＫ／ＮＡＣＫ）のうちの少なくとも１つとを含み、Ｎは２より大きいか２に等しい整数である、プロセッサと、
前記Ｎ個のＵＣＩの優先度に基づいてＭ個のＵＣＩをアクセスネットワークデバイスに送信するように構成された送信機であって、前記Ｍ個のＵＣＩの優先度が前記Ｎ個のＵＣＩのうちの他の（Ｎ−Ｍ）個のＵＣＩの優先度より高く、ＭはＮより小さいかＮに等しい正の整数である、送信機と
を備え、
前記ビームチャネル品質情報の優先度が前記チャネル状態情報の優先度より高く、及び／又は前記ビームチャネル品質情報の優先度が前記ＡＣＫ／ＮＡＣＫの優先度より低い、情報伝送装置。
【請求項２８】
指示情報を端末デバイスに送信するように構成された送信機であって、前記指示情報はＮ個のアップリンク制御情報（ＵＣＩ）を搬送するリソースの時間単位情報を前記端末デバイスに示すのに用いられ、前記Ｎ個のＵＣＩは、少なくとも１つのビームチャネル品質情報と、チャネル状態情報又は確認応答／否定応答（ＡＣＫ／ＮＡＣＫ）のうちの少なくとも１つとを含み、Ｎは２より大きいか２に等しい整数である、送信機と、
Ｍ個のＵＣＩを前記端末デバイスから受信するように構成された受信機であって、前記Ｍ個のＵＣＩの優先度が前記Ｎ個のＵＣＩのうちの他の（Ｎ−Ｍ）個のＵＣＩの優先度より高く、ＭはＮより小さいかＮに等しい正の整数である、受信機と
を備え、
前記ビームチャネル品質情報の優先度が前記チャネル状態情報の優先度より高く、及び／又は前記ビームチャネル品質情報の優先度が前記ＡＣＫ／ＮＡＣＫの優先度より低い、情報伝送装置。
【請求項２９】
命令を格納するように構成されたコンピュータ記憶媒体であって、前記命令はプロセッサにより実行されると、請求項１から７のいずれか一項に記載の方法が実行される、コンピュータ記憶媒体。
【請求項３０】
命令を格納するように構成されたコンピュータ記憶媒体であって、前記命令はプロセッサにより実行されると、請求項８から１３のいずれか一項に記載の方法が実行される、コンピュータ記憶媒体。
【請求項３１】
請求項１から７のいずれか一項に記載の方法をコンピュータに実行させるプログラム。
【請求項３２】
請求項８から１３のいずれか一項に記載の方法をコンピュータに実行させるプログラム。
【発明の詳細な説明】
【技術分野】
【０００１】
本願は、２０１７年１月６日に中国特許庁に出願した「情報伝送方法、端末デバイス、及びアクセスネットワークデバイス（ＩＮＦＯＲＭＡＴＩＯＮ  ＴＲＡＮＳＭＩＳＳＩＯＮ  ＭＥＴＨＯＤ，  ＴＥＲＭＩＮＡＬ  ＤＥＶＩＣＥ，  ＡＮＤ  ＡＣＣＥＳＳ  ＮＥＴＷＯＲＫ  ＤＥＶＩＣＥ）」と題する中国特許出願第２０１７１００１１４４３．４号に基づく優先権を主張し、当該特許出願は全体が参照により本明細書に組み込まれる。
【０００２】
本願の実施形態は通信技術の分野に関するものであり、詳細には、情報伝送方法、端末デバイス、及びアクセスネットワークデバイスに関するものである。
【背景技術】
【０００３】
第５世代移動通信システム（ｔｈｅ  ５ｔｈ  Ｇｅｎｅｒａｔｉｏｎ  Ｍｏｂｉｌｅ  Ｃｏｍｍｕｎｉｃａｔｉｏｎ、略して５Ｇ）の新無線接続技術（Ｎｅｗ  Ｒａｄｉｏ  Ａｃｃｅｓｓ  Ｔｅｃｈｎｏｌｏｇｙ、略してＮＲ）は、より高いシステム性能をサポートすること、並びに様々なサービス、展開シナリオ、及び周波数スペクトルをサポートすることを特に目的としている。上述したサービスは、例えば、高速大容量通信（ｅｎｈａｎｃｅｄ  Ｍｏｂｉｌｅ  Ｂｒｏａｄｂａｎｄ、略してｅＭＢＢ）サービス、マシンタイプ通信（Ｍａｃｈｉｎｅ  Ｔｙｐｅ  Ｃｏｍｍｕｎｉｃａｔｉｏｎ、略してＭＴＣ）サービス、超高信頼性低遅延通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、略してＵＲＬＬＣ）サービス、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、略してＭＢＭＳ）、及び測位サービスであってよい。上述した展開シナリオは、例えば、屋内ホットスポット（Ｉｎｄｏｏｒ  ｈｏｔｓｐｏｔ）シナリオ、密集都市部（ｄｅｎｓｅ  ｕｒｂａｎ）シナリオ、郊外シナリオ、都市部（Ｕｒｂａｎ  Ｍａｃｒｏ）シナリオ、及び高速鉄道シナリオであってよい。上述した周波数スペクトルは、例えば、１００ＧＨｚ内の任意の周波数範囲であってよい。
【０００４】
５ＧのＮＲにおける様々なサービス、展開シナリオ、及び周波数スペクトルなどに対応するサービス要件を満たすには、様々なタイプのアップリンク制御情報（Ｕｐｌｉｎｋ  Ｃｏｎｔｒｏｌ  Ｉｎｆｏｒｍａｔｉｏｎ、略してＵＣＩ）を５ＧのＮＲに追加する必要がある。これによって、端末デバイスが複数のＵＣＩをアクセスネットワークデバイスに同じ時間単位で報告する必要が生じることになり得る。
【０００５】
しかしながら、端末デバイスが複数のＵＣＩをアクセスネットワークデバイスに同時に報告する必要がある場合、ＵＣＩ報告の競合が生じる可能性が高く、複数のＵＣＩを報告することができないかもしれない。その結果、データ伝送性能が影響を受けて、サービス要件を保証することが困難になるであろう。
【発明の概要】
【０００６】
本願の実施形態が、情報伝送方法、端末デバイス、及びアクセスネットワークデバイスを提供して、ＵＣＩ報告の競合を防ぎ、データ伝送性能を向上させ、サービス要件を保証する。
【０００７】
第１の態様によれば、本願の一実施形態がさらに情報伝送方法を提供する。本方法は、同じ時間単位で送信する必要があるＮ個のアップリンク制御情報ＵＣＩを端末デバイスが決定する段階であって、Ｎは２より大きいか２に等しい整数であり、Ｎ個のＵＣＩは、ビームフォーミング情報、バッファステータス報告情報、及びスケジューリング要求情報のうちの少なくとも１つを含む、段階と、Ｎ個のＵＣＩの優先度に基づいて、端末デバイスがＭ個のＵＣＩをアクセスネットワークデバイスに送信する段階であって、Ｍ個のＵＣＩの優先度は、Ｎ個のＵＣＩのうちの他の（Ｎ−Ｍ）個のＵＣＩの優先度より高く、ＭはＮより小さいかＮに等しい正の整数である、段階とを含む。
【０００８】
本方法では、端末デバイスは、Ｎ個のＵＣＩ全てをアクセスネットワークデバイスに報告する代わりに、Ｎ個のＵＣＩをソートすることで、最も優先度の高いＭ個のＵＣＩをアクセスネットワークデバイスに送信する。これにより、ＵＣＩ報告の競合を効果的に防ぎ、ＵＣＩ報告成功率を保証し、データ伝送性能及びサービス要件を効果的に保証することができる。
【０００９】
任意選択的に、同じ時間単位で送信する必要があるＮ個のアップリンク制御情報ＵＣＩを端末デバイスが決定する段階の前に、本方法はさらに、端末デバイスが指示情報をアクセスネットワークデバイスから受信する段階を含んでよい。
【００１０】
同じ時間単位で送信する必要があるＮ個のアップリンク制御情報ＵＣＩを端末デバイスが決定する段階は、同じ時間単位で送信する必要があるＮ個のＵＣＩを指示情報に基づいて端末デバイスが決定する段階を含む。
【００１１】
任意選択的に、Ｎ個のＵＣＩはさらにＣＳＩを含み、ビームフォーミング情報、バッファステータス報告情報、及びスケジューリング要求情報のうちの少なくとも１つのＵＣＩの優先度は、ＣＳＩの優先度より高い。
【００１２】
より高い優先度を有するＢＦＩ、ＢＳＲ、又はＳＲが報告され、より低い優先度を有するＣＳＩは破棄されて、次に挙げる技術的効果が実現される。すなわち、ＢＦＩ／ＢＳＲ／ＳＲ／ＣＳＩを含む複数のＵＣＩを報告する際に競合が生じた場合でも、重要なＵＣＩが可能な限り報告され得ることが保証され、システム性能低下が最小限に抑えられる。
【００１３】
任意選択的に、Ｎ個のＵＣＩがビームフォーミング情報及びＣＳＩのみを含む場合、ビームフォーミング情報の優先度はＣＳＩの優先度より高くてよい。端末デバイスは、Ｎ個のＵＣＩの優先度に基づいて、ビームフォーミング情報のみをアクセスネットワークデバイスに送信し、ＣＳＩを送信せずに破棄してよい。
【００１４】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは両方とも正の整数である。
【００１５】
ＣＳＩと比較すると、ビームフォーミング情報は頻繁に更新する必要がなく比較的ゆっくりと変化するので、シグナリングオーバーヘッドを削減するために、より長い送信期間を有してよい。
【００１６】
任意選択的に、Ｎ個のＵＣＩはさらに確認応答ＡＣＫ／否定応答ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【００１７】
任意選択的に、端末デバイスがＮ個のＵＣＩの優先度に基づいてＭ個のＵＣＩをアクセスネットワークデバイスに送信する段階の前に、本方法はさらに、端末デバイスがサブキャリア間隔ＳＣＳに基づいてＵＣＩの優先度を決定する段階であって、ＳＣＳが大きいほど対応するＵＣＩの優先度が高いことを示す、段階、又は、端末デバイスが時間長に基づいてＵＣＩの優先度を決定する段階であって、時間長が短いほど対応するＵＣＩの優先度が高いことを示す、段階、又は、端末デバイスが対応する情報タイプ又はサービスタイプに基づいてＵＣＩの優先度を決定する段階であって、情報タイプ又はサービスタイプの優先度が高いほど対応するＵＣＩの優先度が高いことを示す、段階を含んでよい。
【００１８】
本方法では、ＳＣＳが大きいほど対応するＵＣＩの優先度が高いことを示す、又は、時間長が短いほど対応するＵＣＩの優先度が高いことを示すので、低遅延サービスのＵＣＩの優先度が比較的高く、遅延非依存サービスのＵＣＩの優先度が比較的低い。アクセスネットワークデバイスは可能な限り低遅延サービスのＵＣＩを受信し、低遅延サービスの信頼性及び遅延要件が効果的に保証される。
【００１９】
任意選択的に、端末デバイスがＳＣＳに基づいてＵＣＩの優先度を決定する段階はさらに、同じＳＣＳが用いられる場合、端末デバイスが情報タイプ又はサービスタイプに基づいてＵＣＩの優先度を決定する段階を含む。
【００２０】
任意選択的に、端末デバイスが時間長に基づいてＵＣＩの優先度を決定する段階はさらに、同じ時間長が用いられる場合、端末デバイスが情報タイプ又はサービスタイプに基づいてＵＣＩの優先度を決定する段階を含む。
【００２１】
任意選択的に、端末デバイスが情報タイプ又はサービスタイプに基づいてＵＣＩの優先度を決定する段階はさらに、同じ情報タイプ又はサービスタイプが用いられる場合、端末デバイスがＳＣＳ又は時間長に基づいてＵＣＩの優先度を決定する段階を含んでよい。
【００２２】
任意選択的に、端末デバイスがＮ個のＵＣＩの優先度に基づいてＭ個のＵＣＩをアクセスネットワークデバイスに送信する段階は、端末デバイスがＮ個のＵＣＩの優先度に基づいてＭ個のＵＣＩをアクセスネットワークデバイスに物理アップリンク制御チャネルＰＵＣＣＨを通じて送信する段階を含んでよい。
【００２３】
任意選択的に、端末デバイスがＮ個のＵＣＩの優先度に基づいてＭ個のＵＣＩをアクセスネットワークデバイスにＰＵＣＣＨを通じて送信する段階は、Ｎ個のＵＣＩのビット総数がＰＵＣＣＨで搬送することができる最大ビット数より多い場合、端末デバイスがＮ個のＵＣＩの優先度に基づいてＭ個のＵＣＩをアクセスネットワークデバイスにＰＵＣＣＨを通じて送信する段階であって、Ｍ個のＵＣＩのビット総数がＰＵＣＣＨで搬送できる最大ビット数より少ないかそれに等しい、段階を含む。
【００２４】
本方法では、Ｎ個のＵＣＩのビット総数がＰＵＣＣＨで搬送できる最大ビット数より多い場合、Ｎ個のＵＣＩのうち最も優先度の高いＭ個のＵＣＩがアクセスネットワークデバイスに送信されてよく、その結果、ＰＵＣＣＨを通じてＮ個のＵＣＩを報告する際の競合を効果的に防ぎ、ＵＣＩ報告成功率を向上させ、データ伝送性能及びサービス要件を効果的に保証することができる。
【００２５】
第２の態様によれば、本願の一実施形態がさらに情報伝送方法を提供し得る。本方法は、アクセスネットワークデバイスが指示情報を端末デバイスに送信する段階であって、指示情報はＮ個のアップリンク制御情報ＵＣＩの時間単位情報を端末デバイスに示すのに用いられ、時間単位情報は、ある時間単位で搬送する必要があるＮ個のＵＣＩを決定するのに用いられ、Ｎは２より大きいか２に等しい整数であり、Ｎ個のＵＣＩは、ビームフォーミング情報、バッファステータス報告情報、及びスケジューリング要求情報のうちの少なくとも１つを含む、段階と、アクセスネットワークデバイスがＮ個のＵＣＩのうちのＭ個のＵＣＩを端末デバイスから受信する段階であって、Ｍ個のＵＣＩの優先度がＮ個のＵＣＩのうちの他の（Ｎ−Ｍ）個のＵＣＩの優先度より高く、ＭはＮより小さい正の整数である、段階とを含む。
【００２６】
任意選択的に、Ｎ個のＵＣＩはさらにチャネル状態情報ＣＳＩを含み、ビームフォーミング情報、バッファステータス報告情報、及びスケジューリング要求情報のうちの少なくとも１つのＵＣＩの優先度は、ＣＳＩの優先度より高い。
【００２７】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは正の整数である。
【００２８】
任意選択的に、Ｎ個のＵＣＩはさらに確認応答ＡＣＫ／否定応答ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【００２９】
任意選択的に、ＵＣＩの優先度がサブキャリア間隔ＳＣＳに基づいてアクセスネットワークデバイスにより決定され、ＳＣＳが大きいほど対応するＵＣＩの優先度が高いことを示す、又は、ＵＣＩの優先度が時間長に基づいてアクセスネットワークデバイスにより決定され、時間長が短いほど対応するＵＣＩの優先度が高いことを示す、又は、ＵＣＩの優先度が情報タイプ若しくはサービスタイプの優先度に基づいてアクセスネットワークデバイスにより決定され、情報タイプ又はサービスタイプの優先度が高いほど対応するＵＣＩの優先度が高いことを示す。
【００３０】
任意選択的に、ＵＣＩの優先度がＳＣＳに基づいてアクセスネットワークデバイスにより決定され、且つ同じＳＣＳが用いられる場合、ＵＣＩの優先度は情報タイプ又はサービスタイプに基づいてアクセスネットワークデバイスにより決定される。
【００３１】
任意選択的に、ＵＣＩの優先度が時間長に基づいてアクセスネットワークデバイスにより決定され、且つ同じ時間長が用いられる場合、ＵＣＩの優先度は情報タイプ又はサービスタイプに基づいてアクセスネットワークデバイスにより決定される。
【００３２】
任意選択的に、ＵＣＩの優先度が情報タイプ又はサービスタイプに基づいてアクセスネットワークデバイスにより決定され、且つ同じ情報タイプ又はサービスタイプが用いられる場合、ＵＣＩの優先度はＳＣＳ又は時間長に基づいてアクセスネットワークデバイスにより決定される。
【００３３】
任意選択的に、アクセスネットワークデバイスがＭ個のＵＣＩを端末デバイスから受信する段階は、アクセスネットワークデバイスが物理アップリンク制御チャネルＰＵＣＣＨを通じてＭ個のＵＣＩを受信する段階を含んでよい。
【００３４】
任意選択的に、アクセスネットワークデバイスがＰＵＣＣＨを通じてＭ個のＵＣＩを受信する段階は、Ｎ個のＵＣＩのビット総数がＰＵＣＣＨで搬送できる最大ビット数より多い場合、端末デバイスにより送信されるＭ個のＵＣＩをアクセスネットワークデバイスがＰＵＣＣＨを通じて受信する段階であって、Ｍ個のＵＣＩのビット総数がＰＵＣＣＨで搬送できる最大ビット数より少ないかそれに等しい、段階を含む。
【００３５】
任意選択的に、本方法はさらに、（Ｎ−Ｍ）個のＵＣＩに対応した、現時点に最も近い過去のパラメータをアクセスネットワークデバイスが決定する段階を含んでよい。
【００３６】
任意選択的に、アクセスネットワークデバイスが端末デバイスにより送信されるＵＣＩを可能な限り受信することを保証するために、ＭはＰＵＣＣＨで搬送できるＵＣＩの最大個数であってよい。
【００３７】
Ｍ個のＵＣＩを端末デバイスから受信した後に、アクセスネットワークデバイスはさらに、（Ｎ−Ｍ）個のＵＣＩに対応した、現時点に最も近い過去のパラメータを決定し、次に、（Ｎ−Ｍ）個のＵＣＩに対応した過去のパラメータを用いて、ＵＣＩ報告の競合を防ぎ、ＵＣＩ報告成功率を向上させ、さらにアクセスネットワークデバイスが比較的少量のＵＣＩを受信した場合にサービス要件を効果的に保証する。（Ｎ−Ｍ）個のＵＣＩに対応した、現時点に最も近い過去のパラメータは、端末デバイスのサービス要件を保証するのに用いられる。
【００３８】
第３の態様によれば、本願の一実施形態がさらに端末デバイスを提供し得る。本デバイスは、同じ時間単位で送信する必要があるＮ個のアップリンク制御情報ＵＣＩを決定するように構成された処理モジュールであって、Ｎは２より大きいか２に等しい整数であり、Ｎ個のＵＣＩは、ビームフォーミング情報、バッファステータス報告情報、及びスケジューリング要求情報のうちの少なくとも１つを含む、処理モジュールと、Ｎ個のＵＣＩの優先度に基づいてＭ個のＵＣＩをアクセスネットワークデバイスに送信するように構成された送信モジュールであって、Ｍ個のＵＣＩの優先度がＮ個のＵＣＩのうちの他の（Ｎ−Ｍ）個のＵＣＩの優先度より高く、ＭはＮより小さいかＮに等しい正の整数である、送信モジュールとを含む。
【００３９】
任意選択的に、端末デバイスはさらに、アクセスネットワークデバイスにより送信される指示情報を受信するように構成された受信モジュールを含んでよく、処理モジュールはさらに、同じ時間単位で送信する必要があるＮ個のＵＣＩを指示情報に基づいて決定するように構成される。
【００４０】
任意選択的に、Ｎ個のＵＣＩはさらにチャネル状態情報ＣＳＩを含み、ビームフォーミング情報、バッファステータス報告情報、及びスケジューリング要求情報のうちの少なくとも１つのＵＣＩの優先度は、ＣＳＩの優先度より高い。
【００４１】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは両方とも正の整数である。
【００４２】
任意選択的に、Ｎ個のＵＣＩはさらに確認応答ＡＣＫ／否定応答ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【００４３】
任意選択的に、処理モジュールはさらに、サブキャリア間隔ＳＣＳに基づいてＵＣＩの優先度を決定するように構成され、ＳＣＳが大きいほど対応するＵＣＩの優先度が高ことを示す、又は、時間長に基づいてＵＣＩの優先度を決定するように構成され、時間長が短いほど対応するＵＣＩの優先度が高いことを示す、又は、情報タイプ若しくはサービスタイプに基づいてＵＣＩの優先度を決定するように構成され、情報タイプ若しくはサービスタイプの優先度が高いほど対応するＵＣＩの優先度が高いことを示す。
【００４４】
任意選択的に、処理モジュールはさらに、ＳＣＳに基づいてＵＣＩの優先度を決定し、同じＳＣＳが用いられる場合には、情報タイプ又はサービスタイプに基づいてＵＣＩの優先度を決定するように構成される。
【００４５】
任意選択的に、処理モジュールはさらに、時間長に基づいてＵＣＩの優先度を決定し、同じ時間長が用いられる場合には、情報タイプ又はサービスタイプに基づいてＵＣＩの優先度を決定するように構成される。
【００４６】
任意選択的に、処理モジュールはさらに、情報タイプ又はサービスタイプに基づいてＵＣＩの優先度を決定し、同じ情報タイプ又はサービスタイプが用いられる場合には、ＳＣＳ又は時間長に基づいてＵＣＩの優先度を決定するように構成される。
【００４７】
任意選択的に、送信モジュールはさらに、Ｎ個のＵＣＩの優先度に基づいて、Ｍ個のＵＣＩをアクセスネットワークデバイスに物理アップリンク制御チャネルＰＵＣＣＨを通じて送信するように構成される。
【００４８】
任意選択的に、送信モジュールはさらに、Ｎ個のＵＣＩのビット総数がＰＵＣＣＨで搬送できる最大ビット数より多い場合、Ｎ個のＵＣＩの優先度に基づいて、Ｍ個のＵＣＩをアクセスネットワークデバイスにＰＵＣＣＨを通じて送信するように構成され、Ｍ個のＵＣＩのビット総数がＰＵＣＣＨで搬送できる最大ビット数より少ないかそれに等しい。
【００４９】
第４の態様によれば、本願の一実施形態がさらにアクセスネットワークデバイスを提供する。本デバイスは、指示情報を端末デバイスに送信するように構成された送信モジュールであって、指示情報はＮ個のアップリンク制御情報ＵＣＩの時間単位情報を端末デバイスに示すのに用いられ、時間単位情報は、ある時間単位で搬送する必要があるＮ個のＵＣＩを決定するのに用いられ、Ｎは２より大きいか２に等しい整数であり、Ｎ個のＵＣＩは、ビームフォーミング情報、バッファステータス報告情報、及びスケジューリング要求情報のうちの少なくとも１つを含む、送信モジュールと、Ｍ個のＵＣＩを端末デバイスから受信するように構成された受信モジュールであって、Ｍ個のＵＣＩの優先度がＮ個のＵＣＩのうちの他の（Ｎ−Ｍ）個のＵＣＩの優先度より高く、ＭはＮより小さいかＮに等しい正の整数である、受信モジュールとを含む。
【００５０】
任意選択的に、Ｎ個のＵＣＩはさらにチャネル状態情報ＣＳＩを含み、ビームフォーミング情報、バッファステータス報告情報、及びスケジューリング要求情報のうちの少なくとも１つのＵＣＩの優先度は、ＣＳＩの優先度より高い。
【００５１】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは正の整数である。
【００５２】
任意選択的に、Ｎ個のＵＣＩはさらに確認応答ＡＣＫ／否定応答ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【００５３】
任意選択的に、ＵＣＩの優先度がサブキャリア間隔ＳＣＳに基づいてアクセスネットワークデバイスにより決定され、ＳＣＳが大きいほど対応するＵＣＩの優先度が高いことを示す、又は、ＵＣＩの優先度が時間長に基づいてアクセスネットワークデバイスにより決定され、時間長が短いほど対応するＵＣＩの優先度が高いことを示す、又は、ＵＣＩの優先度が情報タイプ若しくはサービスタイプに基づいてアクセスネットワークデバイスにより決定され、情報タイプ又はサービスタイプの優先度が高いほど対応するＵＣＩの優先度が高いことを示す。
【００５４】
任意選択的に、ＵＣＩの優先度がＳＣＳに基づいてアクセスネットワークデバイスにより決定され、且つ同じＳＣＳが用いられる場合、ＵＣＩの優先度は情報タイプ又はサービスタイプに基づいてアクセスネットワークデバイスにより決定される。
【００５５】
任意選択的に、ＵＣＩの優先度が時間長に基づいてアクセスネットワークデバイスにより決定され、且つ同じ時間長が用いられる場合、ＵＣＩの優先度は情報タイプ又はサービスタイプに基づいてアクセスネットワークデバイスにより決定される。
【００５６】
任意選択的に、ＵＣＩの優先度が情報タイプ又はサービスタイプに基づいてアクセスネットワークデバイスにより決定され、且つ同じ情報タイプ又はサービスタイプが用いられる場合、ＵＣＩの優先度はＳＣＳ又は時間長に基づいてアクセスネットワークデバイスにより決定される。
【００５７】
任意選択的に、受信モジュールはさらに、物理アップリンク制御チャネルＰＵＣＣＨを通じてＭ個のＵＣＩを受信するように構成される。
【００５８】
任意選択的に、受信モジュールはさらに、Ｎ個のＵＣＩのビット総数がＰＵＣＣＨで搬送できる最大ビット数より多い場合、端末デバイスにより送信されるＭ個のＵＣＩをＰＵＣＣＨを通じて受信するように構成され、Ｍ個のＵＣＩのビット総数がＰＵＣＣＨで搬送できる最大ビット数より少ないかそれに等しい。
【００５９】
任意選択的に、アクセスネットワークデバイスはさらに、（Ｎ−Ｍ）個のＵＣＩに対応した、現時点に最も近い過去のパラメータを決定するように構成された処理モジュールを含む。
【００６０】
第５の態様によれば、本願の一実施形態がさらに、プロセッサ及び送信機を含む端末デバイスを提供し得る。プロセッサは送信機に接続され、プロセッサは同じ時間単位で送信する必要があるＮ個のアップリンク制御情報ＵＣＩを決定するように構成され、Ｎは２より大きいか２に等しい整数であり、Ｎ個のＵＣＩは、ビームフォーミング情報、バッファステータス報告情報、及びスケジューリング要求情報のうちの少なくとも１つを含む。送信機は、Ｎ個のＵＣＩの優先度に基づいてＭ個のＵＣＩをアクセスネットワークデバイスに送信するように構成され、Ｍ個のＵＣＩの優先度がＮ個のＵＣＩのうちの他の（Ｎ−Ｍ）個のＵＣＩの優先度より高く、ＭはＮより小さいかＮに等しい正の整数である。
【００６１】
任意選択的に、端末デバイスはさらに受信機を含んでよく、受信機はプロセッサに接続されてよい。受信機はアクセスネットワークデバイスにより送信される指示情報を受信するように構成され、プロセッサはさらに、同じ時間単位で送信する必要があるＮ個のＵＣＩを指示情報に基づいて決定するように構成される。
【００６２】
任意選択的に、Ｎ個のＵＣＩはさらにチャネル状態情報ＣＳＩを含み、ビームフォーミング情報、バッファステータス報告情報、及びスケジューリング要求情報のうちの少なくとも１つのＵＣＩの優先度は、ＣＳＩの優先度より高い。
【００６３】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは両方とも正の整数である。
【００６４】
任意選択的に、Ｎ個のＵＣＩはさらに確認応答ＡＣＫ／否定応答ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【００６５】
任意選択的に、プロセッサはさらに、サブキャリア間隔ＳＣＳに基づいてＵＣＩの優先度を決定するように構成され、ＳＣＳが大きいほど対応するＵＣＩの優先度が高ことを示す、又は、時間長に基づいてＵＣＩの優先度を決定するように構成され、時間長が短いほど対応するＵＣＩの優先度が高いことを示す、又は、情報タイプ若しくはサービスタイプに基づいてＵＣＩの優先度を決定するように構成され、情報タイプ若しくはサービスタイプの優先度が高いほど対応するＵＣＩの優先度が高いことを示す。
【００６６】
任意選択的に、プロセッサはさらに、ＳＣＳに基づいてＵＣＩの優先度を決定し、同じＳＣＳが用いられる場合には、情報タイプ又はサービスタイプに基づいてＵＣＩの優先度を決定するように構成される。
【００６７】
任意選択的に、プロセッサはさらに、時間長に基づいてＵＣＩの優先度を決定し、同じ時間長が用いられる場合には、情報タイプ又はサービスタイプに基づいてＵＣＩの優先度を決定するように構成される。
【００６８】
任意選択的に、プロセッサはさらに、情報タイプ又はサービスタイプに基づいてＵＣＩの優先度を決定し、同じ情報タイプ又はサービスタイプが用いられる場合には、ＳＣＳ又は時間長に基づいてＵＣＩの優先度を決定するように構成される。
【００６９】
任意選択的に、送信機はさらに、Ｎ個のＵＣＩの優先度に基づいて、Ｍ個のＵＣＩをアクセスネットワークデバイスに物理アップリンク制御チャネルＰＵＣＣＨを通じて送信するように構成される。
【００７０】
任意選択的に、送信機はさらに、Ｎ個のＵＣＩのビット総数がＰＵＣＣＨで搬送できる最大ビット数より多い場合、Ｎ個のＵＣＩの優先度に基づいて、Ｍ個のＵＣＩをアクセスネットワークデバイスにＰＵＣＣＨを通じて送信するように構成され、Ｍ個のＵＣＩのビット総数がＰＵＣＣＨで搬送できる最大ビット数より少ないかそれに等しい。
【００７１】
第６の態様によれば、本願の一実施形態がさらに、送信機及び受信機を含むアクセスネットワークデバイスを提供する。送信機は指示情報を端末デバイスに送信するように構成され、指示情報はＮ個のアップリンク制御情報ＵＣＩの時間単位情報を端末デバイスに示すのに用いられ、時間単位情報は、ある時間単位で搬送する必要があるＮ個のＵＣＩを決定するのに用いられ、Ｎは２より大きいか２に等しい整数であり、Ｎ個のＵＣＩは、ビームフォーミング情報、バッファステータス報告情報、及びスケジューリング要求情報のうちの少なくとも１つを含む。受信機はＭ個のＵＣＩを端末デバイスから受信するように構成され、Ｍ個のＵＣＩの優先度がＮ個のＵＣＩのうちの他の（Ｎ−Ｍ）個のＵＣＩの優先度より高く、ＭはＮより小さいかＮに等しい正の整数である。
【００７２】
任意選択的に、Ｎ個のＵＣＩはさらにチャネル状態情報ＣＳＩを含み、ビームフォーミング情報、バッファステータス報告情報、及びスケジューリング要求情報にうちの少なくとも１つのＵＣＩの優先度は、ＣＳＩの優先度より高い。
【００７３】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは正の整数である。
【００７４】
任意選択的に、Ｎ個のＵＣＩはさらに確認応答ＡＣＫ／否定応答ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【００７５】
任意選択的に、ＵＣＩの優先度がサブキャリア間隔ＳＣＳに基づいてアクセスネットワークデバイスにより決定され、ＳＣＳが大きいほど対応するＵＣＩの優先度が高いことを示す、又は、ＵＣＩの優先度が時間長に基づいてアクセスネットワークデバイスにより決定され、時間長が短いほど対応するＵＣＩの優先度が高いことを示す、又は、ＵＣＩの優先度が情報タイプ若しくはサービスタイプに基づいてアクセスネットワークデバイスにより決定され、情報タイプ若しくはサービスタイプの優先度が高いほど対応するＵＣＩの優先度が高いことを示す。
【００７６】
任意選択的に、ＵＣＩの優先度がＳＣＳに基づいてアクセスネットワークデバイスにより決定され、且つ同じＳＣＳが用いられる場合、ＵＣＩの優先度は情報タイプ又はサービスタイプに基づいてアクセスネットワークデバイスにより決定される。
【００７７】
任意選択的に、ＵＣＩの優先度が時間長に基づいてアクセスネットワークデバイスにより決定され、且つ同じ時間長が用いられる場合、ＵＣＩの優先度は情報タイプ又はサービスタイプに基づいてアクセスネットワークデバイスにより決定される。
【００７８】
任意選択的に、ＵＣＩの優先度が情報タイプ又はサービスタイプに基づいてアクセスネットワークデバイスにより決定され、且つ同じ情報タイプ又はサービスタイプが用いられる場合、ＵＣＩの優先度はＳＣＳ又は時間長に基づいてアクセスネットワークデバイスにより決定される。
【００７９】
任意選択的に、受信機はさらに、物理アップリンク制御チャネルＰＵＣＣＨを通じてＭ個のＵＣＩを受信するように構成される。
【００８０】
任意選択的に、受信機はさらに、Ｎ個のＵＣＩのビット総数がＰＵＣＣＨで搬送できる最大ビット数より多い場合、端末デバイスにより送信されるＭ個のＵＣＩをＰＵＣＣＨを通じて受信するように構成され、Ｍ個のＵＣＩのビット総数がＰＵＣＣＨで搬送できる最大ビット数より少ないかそれに等しい。
【００８１】
任意選択的に、アクセスネットワークデバイスはさらに、（Ｎ−Ｍ）個のＵＣＩに対応した、現時点に最も近い過去のパラメータを決定するように構成されたプロセッサを含む。
【００８２】
第７の態様によれば、本願の一実施形態がさらにコンピュータプログラム製品を提供する。コンピュータプログラム製品は対応するプログラムコードを含み、プログラムコードは、本願の実施形態の第１の態様で提供された任意の情報伝送方法を実行するのに用いられる。
【００８３】
第８の態様によれば、本願の一実施形態はさらにコンピュータプログラム製品を提供する。コンピュータプログラム製品は対応するプログラムコードを含み、プログラムコードは、本願の実施形態の第２の態様で提供された任意の情報伝送方法を実行するのに用いられる。
【００８４】
第９の態様によれば、本願の一実施形態がさらに記憶媒体を提供する。記憶媒体は、コンピュータプログラム製品を格納するように構成される。コンピュータプログラム製品はプログラムコードを含む。プログラムコードは、本願の実施形態の第１の態様で提供された任意の情報伝送方法を実行するのに用いられる対応するプログラムコードを含んでよい。
【００８５】
第１０の態様によれば、本願の一実施形態がさらに記憶媒体を提供する。記憶媒体は、コンピュータプログラム製品を格納するように構成される。コンピュータプログラム製品はプログラムコードを含む。プログラムコードは、本願の実施形態の第２の態様で提供された任意の情報伝送方法を実行するのに用いられる対応するプログラムコードを含んでよい。
【００８６】
本願の実施形態で提供される情報伝送方法、端末デバイス、及びアクセスネットワークデバイスによれば、端末デバイスは、同じ時間単位で送信する必要があるＮ個のＵＣＩを決定し、Ｎ個のＵＣＩの優先度に基づいて、Ｎ個のＵＣＩのうちの最も優先度の高いＭ個のＵＣＩをアクセスネットワークデバイスに送信する。本方法では、端末デバイスは、Ｎ個のＵＣＩ全てをアクセスネットワークデバイスに報告する代わりに、Ｎ個のＵＣＩをソートすることで、最も優先度の高いＭ個のＵＣＩをアクセスネットワークデバイスに送信する。これにより、ＵＣＩ報告の競合を効果的に防ぎ、ＵＣＩ報告成功率を保証し、データ伝送性能及びサービス要件を効果的に保証することができる。
【図面の簡単な説明】
【００８７】
【図１】本願の実施形態に適用可能な通信システムのアーキテクチャ図である。
【００８８】
【図２】本願の一実施形態による情報伝送方法のフローチャートである。
【００８９】
【図３】本願の一実施形態によるサブフレームの時間−周波数リソースの概略構造図である。
【００９０】
【図４】本願の一実施形態による別の情報伝送方法のフローチャートである。
【００９１】
【図５】本願による端末デバイスの概略構造図である。
【００９２】
【図６】本願の一実施形態による別の端末デバイスの概略構造図である。
【００９３】
【図７】本願の一実施形態によるコンピュータプログラム製品の概略構造図である。
【００９４】
【図８】本願の一実施形態による記憶媒体の概略構造図である。
【００９５】
【図９】本願の一実施形態によるアクセスネットワークデバイスの概略構造図である。
【００９６】
【図１０】本願の一実施形態による別のアクセスネットワークデバイスの概略構造図である。
【００９７】
【図１１】本願の一実施形態による別のコンピュータプログラム製品の概略構造図である。
【００９８】
【図１２】本願の一実施形態による別の記憶媒体の概略構造図である。
【発明を実施するための形態】
【００９９】
本願の以下の実施形態において提供される情報伝送方法、端末デバイス、及びアクセスネットワークデバイスが、５ＧのＮＲ通信技術又は任意の他の通信技術の進化した通信技術に適用可能になり得る。
【０１００】
図１は、本願の実施形態に適用可能な通信システムのアーキテクチャ図である。本願の以下の実施形態において提供される方法が、図１に示す通信システムに適用され得る。図１に示すように、通信システムは少なくとも１つのアクセスネットワークデバイス１０１を含む。各アクセスネットワークデバイス１０１は、無線インタフェースを通じて、少なくとも１つの端末デバイス１０２にサービスを提供する。
【０１０１】
図１に示す通信システムに含まれるアクセスネットワークデバイス１０１の個数と、アクセスネットワークデバイス１０１によりサービスを提供される端末デバイス１０２の個数とは両方とも、実際のネットワーク要件に従って設定されることに留意されたい。このことは、本願において具体的に限定されない。
【０１０２】
図１では、１つのアクセスネットワークデバイス１０１と、アクセスネットワークデバイス１０１によりサービスを提供される複数の端末デバイス１０２とが、単に一例として示されている。図１に示す内容には、通信システムに含まれるアクセスネットワークデバイス１０１の個数と、アクセスネットワークデバイス１０１によりサービスを提供される端末デバイス１０２の個数とを具体的に限定する意図はない。
【０１０３】
図１に示す端末デバイス１０２は、ユーザにデータ接続性を提供するデバイス、無線接続機能を有するハンドヘルド型デバイス、又は無線モデムに接続された無線デバイスであってよい。無線端末が、無線アクセスネットワーク（Ｒａｄｉｏ  Ａｃｃｅｓｓ  Ｎｅｔｗｏｒｋ、略してＲＡＮ）を通じて１つ又は複数のコアネットワークと通信し得る。無線端末は、携帯電話（「セルラ」電話とも呼ばれる）又は移動端末を備えたコンピュータなどの移動端末であってよく、例えば、無線アクセスネットワークと音声及び／又はデータをやり取りする、携帯可能なポケットサイズのハンドヘルドコンピュータ内蔵移動装置又は車載移動装置であってもよい。例えば、無線端末は、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、略してＳＩＰ）電話、無線ローカルループ（Ｗｉｒｅｌｅｓｓ  Ｌｏｃａｌ  Ｌｏｏｐ、略してＷＬＬ）局、又は携帯情報端末（Ｐｅｒｓｏｎａｌ  Ｄｉｇｉｔａｌ  Ａｓｓｉｓｔａｎｔ、略してＰＤＡ）などのデバイスであってよい。無線端末は、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動局（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、ユーザ機器（Ｕｓｅｒ  Ｅｑｕｉｐｍｅｎｔ）、スマートフォン（ｓｍａｒｔｐｈｏｎｅ）、車載用デバイス（Ａｕｔｏｍｏｔｉｖｅ  Ｄｅｖｉｃｅ）、又はモノのインターネットデバイス（Ｉｎｔｅｒｎｅｔ  Ｏｆ  Ｔｈｉｎｇｓ  Ｄｅｖｉｃｅ）とも呼ばれることがある。
【０１０４】
図１に示すアクセスネットワークデバイス１０１は、無線局の形態であってよく、移動通信交換局を用いて特定の無線カバレッジエリア内の携帯電話端末と情報を伝達する無線トランシーバ局であり、又は、１つ又は複数のセクタを用いてアクセスネットワークのエアインタフェースを介して無線端末と通信するデバイスであってもよい。アクセスネットワークデバイスは、受信した無線フレームとインターネットプロトコル（Ｉｎｔｅｒｎｅｔ  Ｐｒｏｔｏｃｏｌ、略してＩＰ）パケットとの間で相互変換を行い、無線端末とアクセスネットワークの残りの部分との間でルータの役割を果たすように構成されてよい。アクセスネットワークの残りの部分は、インターネットプロトコル（ＩＰ）ネットワークを含んでよい。アクセスネットワークデバイスはさらに、エアインタフェース上で属性管理を調整し得る。例えば、アクセスネットワークデバイスは基地局であってよく、例えば、ベーストランシーバ基地局（Ｂａｓｅ  Ｔｒａｎｓｃｅｉｖｅｒ  Ｓｔａｔｉｏｎ、略してＢＴＳ）、ＮｏｄｅＢ、及び進化型ＮｏｄｅＢ（ｅｖｏｌｖｅｄ  ＮｏｄｅＢ、略してｅＮＢ）などのうちのいずれか１つであってよい。本願において限定を課すことはない。
【０１０５】
以下では、複数の例を説明に用いる。
【０１０６】
図２は、本願の一実施形態による情報伝送方法のフローチャートである。図２に示すように、本方法は以下に挙げる段階を含んでよい。
【０１０７】
Ｓ２０１ａ：アクセスネットワークデバイスは指示情報を端末デバイスに送信する。
【０１０８】
Ｓ２０１ａは、任意選択の段階である。アクセスネットワークデバイスは、指示情報を端末デバイスに物理ダウンリンクチャネルを通じて送信してよく、この情報はユニキャスト方式で端末に別々に送信されてもよく、又はブロードキャスト方式で端末に送信されてもよい。物理ダウンリンクチャネルは、例えば、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、略してＰＤＣＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ、略してＰＤＳＣＨ）、物理制御フォーマット指示チャネル（（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、略してＰＣＦＩＣＨ）、物理ハイブリッド自動再送要求指示チャネル（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ、略してＰＨＩＣＨ）、物理ブロードキャストチャネル（Ｐｈｙｓｉｃａｌ  Ｂｒｏａｄｃａｓｔ  Ｃｈａｎｎｅｌ、略してＰＢＣＨ）、及び物理マルチキャストチャネル（Ｐｈｙｓｉｃａｌ  Ｍｕｌｔｉｃａｓｔ  Ｃｈａｎｎｅｌ、略してＰＭＣＨ）などのうちの少なくとも１つを含んでよい。
【０１０９】
それに対応して、端末デバイスは指示情報をアクセスネットワークデバイスから受信してよい。
【０１１０】
Ｓ２０１：端末デバイスは、同じ時間単位で送信する必要があるＮ個のＵＣＩを決定する。Ｎは２より大きいか２に等しい整数であり、Ｎ個のＵＣＩは、ビームフォーミング情報、バッファステータス報告（Ｂｕｆｆｅｒ  Ｓｔａｔｕｓ  Ｒｅｐｏｒｔ、略してＢＳＲ）情報、及びスケジューリング要求（Ｓｃｈｅｄｕｌｉｎｇ  Ｒｅｑｕｅｓｔ、略してＳＲ）情報のうちの少なくとも１つを含む。
【０１１１】
ビームフォーミング情報は、ビームフォーミング指示（Ｂｅａｍ  Ｆｏｒｍｉｎｇ  Ｉｎｄｉｃａｔｉｏｎ、略してＢＦＩ）であってもよく、アップリンクチャネルを通じて送信されるビームフォーミング指示シグナリングであってもよく、ダウンリンクチャネルが配置されているビームを示す情報であってもよく、又は、アンテナポート（ａｎｔｅｎｎａ  ｐｏｒｔ）を示す情報であってもよい。ＢＦＩは、端末デバイスにより選択されて、端末デバイスにより選択されたビームをアクセスネットワークデバイスに報告するのに用いられるビーム識別子（Ｂｅａｍ  Ｉｄｅｎｔｉｆｉｅｒ）を含んでもよく、又は端末デバイスにより選択されたビームのチャネル品質をアクセスネットワークデバイスに報告するのに用いられる情報、例えば、端末デバイスにより選択されるビームのチャネル品質指標などを含んでもよい。ＢＦＩはさらに、端末デバイスにより選択されたアンテナポート、例えば、ダウンリンク参照信号のアンテナポートを含んでもよい。ＢＳＲ情報は、端末デバイスにより送信されるアップリンクデータ量を示す情報などを含んでよい。ＳＲ情報は、端末デバイスがアップリンクデータを送信する必要があるかどうかを示す情報、及び／又は送信対象アップリンクデータ量を示す情報などを含んでよい。送信対象アップリンクデータ量を示す情報は、ビットの個数で表されてよい。
【０１１２】
任意選択的に、複数のＵＣＩにより占有されるリソースの時間単位の長さが同じであってもよく、又は異なっていてもよい。例えば、異なるサブキャリア間隔によって異なるシンボル長が得られ、占有されたシンボルの個数も異なってよい。例えば、サブフレームは２つのスロットを含み、各スロットは７つのシンボルを有する。サブフレームは１４個のシンボルを有するが、異なるＵＣＩでは、周波数領域における異なるサブキャリア間隔（Ｓｕｂｃａｒｒｉｅｒ  Ｓｐａｃｉｎｇ、略してＳＣＳ）によって、以下に挙げる表１に示すように、異なるシンボル長が得られる。複数のＵＣＩにおける異なるＵＣＩの時間単位が、部分的に重複してもよく、又は完全に重複してもよい。例えば、１つのＵＣＩが物理アップリンク制御チャネル（Ｐｈｙｓｉｃａｌ  Ｕｐｌｉｎｋ  Ｃｏｎｔｒｏｌ  Ｃｈａｎｎｅｌ、略してＰＵＣＣＨ）を通じて送信されてよい。当該ＵＣＩを搬送するサブフレームの長さが１ミリ秒であり、サブフレームは１４個のシンボルを有し、１４個のシンボル全てが当該ＵＣＩを送信するのに用いられる。第２のＵＣＩもＰＵＣＣＨを通じて送信され、当該ＵＣＩを搬送するサブフレームの長さが０．５ミリ秒であり、サブフレームも１４個のシンボルを有し、１４個のシンボル全てが当該ＵＣＩを送信するのに用いられる。２つのＵＣＩは両方とも、１４個のシンボルを用いて送信される。しかしながら、１ミリ秒の長さを有するサブフレームでは、時間領域におけるシンボル長が、０．５ミリ秒の長さを有するサブフレームの２倍のシンボル長になる。時間領域において、第１のＵＣＩのＰＵＣＣＨの開始位置が第２のＵＣＩのＰＵＣＣＨの開始位置と同じである場合、第２のＵＣＩのＰＵＣＣＨは、第１のＵＣＩのＰＵＣＣＨの最初の０．５ミリ秒と重複する。２つのＵＣＩは部分的に重複する。時間領域において、２つのＵＣＩを送信するのに用いられるＰＵＣＣＨの開始位置が同じであり、各ＰＵＣＣＨが１４個のシンボルを占有し、時間領域における２つのＰＵＣＣＨのシンボル長が同じである場合、２つのＵＣＩは時間領域において完全に重複する。
【０１１３】
１つのＵＣＩにより占有されるリソースの時間単位が、少なくとも１つの無線フレーム、少なくとも１つのサブフレーム、少なくとも１つのスロット、又は少なくとも１つのシンボルなどであってよい。
【０１１４】
さらに、１つのＵＣＩを送信するのに用いられるＰＵＣＣＨが、１４個のシンボルを有していなくてもよい。例えば、ＵＣＩを送信するのに用いられるＰＵＣＣＨが、時間領域において１つ又は２つのシンボルを占有する。これによっても、２つのＵＣＩは時間領域において部分的に重複することになるが、完全に重複するわけではない。
【０１１５】
端末デバイスはさらに、複数のＵＣＩの事前設定された時間単位情報に基づいて、複数の送信対象ＵＣＩのうち、時間単位が部分的に重複するか又は完全に重複するＮ個のＵＣＩを、同じ時間単位で送信する必要があるＮ個のＵＣＩとして決定してよい。具体的には、端末デバイスは、タイミング関係に基づいて送信時点を決定する。例えば、基地局がダウンリンク情報をサブフレームＤで送信し、ＵＥがタイミング関係に基づいて送信時点をＤ＋ｋと決定する。複数のＵＣＩの事前設定された時間単位情報は、端末デバイス側に事前設定され、同じ時間単位で送信する必要があるＮ個のＵＣＩが決定される。複数のＵＣＩの時間単位情報は、複数のＵＣＩの各ＵＣＩについての、事前設定されたスケジューリング済みの送信情報及びトリガ情報などを含んでよい。
【０１１６】
具体的には、Ｓ２０１において、端末デバイスはさらに、複数のＵＣＩを搬送する時間単位情報を指示情報に基づいて決定し、複数のＵＣＩを搬送する時間単位情報に基づいて、複数のＵＣＩのうち、時間単位が部分的に重複するか又は完全に重複するＮ個のＵＣＩを、同じ時間単位で送信する必要があるＮ個のＵＣＩとして決定してよい。同じ時間単位は、少なくとも１つの無線フレーム、少なくとも１つのサブフレーム、少なくとも１つのスロット、又は少なくとも１つのシンボルなどを含んでよい。端末デバイスは、Ｍ個のＵＣＩの各ＵＣＩについての時間−周波数リソースに基づいて、Ｍ個のＵＣＩをアクセスネットワークデバイスに別々に送信してよい。
【０１１７】
指示情報は、端末デバイスのためにアクセスネットワークデバイスにより設定された各ＵＣＩの送信期間及び／又は時間オフセットなどの情報を含んでよい。例えば、端末デバイスは、アクセスネットワークデバイスにより設定されるランク指標（Ｒａｎｋ  Ｉｎｄｉｃａｔｏｒ、略してＲＩ）及びプリコーティング行列指標（Ｐｒｅｃｏｄｉｎｇ  Ｍａｔｒｉｘ  Ｉｎｄｉｃａｔｏｒ、略してＰＭＩ）／チャネル品質指標（Ｃｈａｎｎｅｌ  Ｑｕａｌｉｔｙ  Ｉｎｄｉｃａｔｏｒ、略してＣＱＩ）の送信期間及び時間オフセットを別々に受信する。端末デバイスは、設定された送信期間及び時間オフセットに基づいて、ＲＩ及びＰＭＩ／ＣＱＩを搬送する時間単位を決定してよい。端末デバイスはＲＩを搬送する時間単位でＲＩを送信し、端末デバイスはＰＭＩ／ＣＱＩを搬送する時間単位でＰＭＩ／ＣＱＩを送信する。
【０１１８】
Ｓ２０２：端末デバイスは、Ｎ個のＵＣＩの優先度に基づいて、Ｍ個のＵＣＩをアクセスネットワークデバイスに送信する。Ｍ個のＵＣＩの優先度は、Ｎ個のＵＣＩのうちの他の（Ｎ−Ｍ）個のＵＣＩの優先度より高く、ＭはＮより小さいかＮに等しい正の整数である。
【０１１９】
端末デバイスは、事前設定された優先規則に基づいて、Ｎ個のＵＣＩの優先度を決定し、Ｎ個のＵＣＩのうち最も優先度の高いＭ個のＵＣＩを決定してよい。次に端末デバイスは、Ｍ個のＵＣＩをアクセスネットワークデバイスに送信し、Ｎ個のＵＣＩのうち最も優先度の低い（Ｎ−Ｍ）個のＵＣＩをアクセスネットワークデバイスに送信せずに破棄する。Ｍ個のＵＣＩの優先度は、Ｎ個のＵＣＩのうちに他の（Ｎ−Ｍ）個のＵＣＩの優先度より高い。
【０１２０】
任意選択的に、端末デバイスは、Ｍ個のＵＣＩの各ＵＣＩを搬送する時間単位で、Ｍ個のＵＣＩの各ＵＣＩをアクセスネットワークデバイスに別々に送信してよい。
【０１２１】
任意選択的に、端末デバイスは、当該時間単位で、Ｎ個のＵＣＩの優先度に基づいてＭ個のＵＣＩをアクセスネットワークデバイスに送信してよい。当該時間単位は、時間領域において、Ｍ個のＵＣＩを搬送する時間単位の一部と重複し得る。
【０１２２】
それに対応して、アクセスネットワークデバイスはＭ個のＵＣＩを端末デバイスから受信する。
【０１２３】
任意選択的に、ＭはＮより小さい。端末デバイスは、同じ時間単位で送信する必要があるＮ個のＵＣＩを決定し、Ｎ個のＵＣＩの優先度に基づいて、Ｎ個のＵＣＩのうち最も優先度の高いＭ個のＵＣＩをアクセスネットワークデバイスに送信する。本方法では、端末デバイスは、Ｎ個のＵＣＩ全てをアクセスネットワークデバイスに報告する代わりに、Ｎ個のＵＣＩをソートすることで、最も優先度の高いＭ個のＵＣＩをアクセスネットワークデバイスに送信する。これにより、ＵＣＩ報告の競合を効果的に防ぎ、ＵＣＩ報告成功率を保証し、データ伝送性能及びサービス要件を効果的に保証することができる。
【０１２４】
任意選択的に、Ｎ個のＵＣＩはさらに、チャネル状態情報（Ｃｈａｎｎｅｌ  Ｓｔａｔｅ  Ｉｎｆｏｒｍａｔｉｏｎ、略してＣＳＩ）を含んでよい。ビームフォーミング情報、ＢＳＲ情報、及びＳＲ情報のうちの少なくとも１つのＵＣＩの優先度がＣＳＩの優先度より高くてよい。
【０１２５】
任意選択的に、Ｎ個のＵＣＩがビームフォーミング情報及びＣＳＩのみを含む場合、ビームフォーミング情報の優先度はＣＳＩの優先度より高くてよい。端末デバイスは、Ｎ個のＵＣＩの優先度に基づいて、ビームフォーミング情報のみをアクセスネットワークデバイスに送信し、ＣＳＩを送信せずに破棄してよい。
【０１２６】
本願のこの実施形態における方法によれば、ビームフォーミング情報の優先度はＣＳＩの優先度より高いため、アクセスネットワークデバイスはビームフォーミング情報をタイムリーに受信でき、これにより、アクセスネットワークデバイスがビームフォーミング情報を再度受信するための比較的長い待ち時間を効果的に防ぎ、サービス要件を効果的に保証することができる。
【０１２７】
任意選択的に、ＣＳＩは、ＲＩ、ＰＭＩ、ＣＱＩ、及びプリコーディングタイプ指標（Ｐｒｅｃｏｄｉｎｇ  Ｔｙｐｅ  Ｉｎｄｉｃａｔｏｒ、略してＰＴＩ）のうちの少なくとも１つを含む。ＣＱＩはチャネル品質を示すのに用いられ、ＰＭＩはプリコーディング行列を示すのに用いられ、ＰＴＩはプリコーディングタイプを示すのに用いられ、ＲＩはチャネル行列のランクを示すのに用いられる。
【０１２８】
ＰＭＩは、ワイドバンド（Ｗｉｄｅｂａｎｄ、略してＷＢ）のＰＭＩ及び／又はサブバンド（Ｓｕｂｂａｎｄ、略してＳＢ）のＰＭＩを含んでよい。ＣＱＩは、ＷＢのＣＱＩ及び／又はＳＢのＣＱＩを含んでよい。
【０１２９】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは両方とも正の整数である。
【０１３０】
任意選択的に、ＴはＡのＰ倍であってよく、Ａは正の整数である。
【０１３１】
具体的には、時間領域におけるビームフォーミング情報の送信期間は、時間領域におけるＣＳＩの送信期間より長いかそれに等しくてよい。ＣＳＩと比較すると、ビームフォーミング情報は頻繁に更新する必要がなく比較的ゆっくりと変化するので、ビームフォーミング情報の送信期間は、シグナリングオーバーヘッドを削減するために、比較的長くてよい。
【０１３２】
任意選択的に、Ｎ個のＵＣＩはさらに、確認応答（Ａｃｋｎｏｗｌｅｄｇｅ、略してＡＣＫ）／否定応答（Ｎｅｇａｔｉｖｅ  Ａｃｋｎｏｗｌｅｄｇｅ、略してＮＡＣＫ）を含んでよく、ビームフォーミング情報、ＢＳＲ情報、及びＳＲ情報のうちの少なくとも１つのＵＣＩの優先度はＡＣＫ／ＮＡＣＫの優先度より低い。
【０１３３】
ＵＣＩがいくつかのタイプのＵＣＩ、例えば、ＢＦＩ、ＢＳＲ、ＳＲ、ＲＩ、ＷＢのＣＱＩ／ＰＭＩ、ＳＢのＣＱＩ／ＰＭＩ、及びＡＣＫ／ＮＡＣＫなどを含む場合、端末デバイスはさらに、次に挙げる複数の方式でＮ個のＵＣＩの優先度を決定してよい。ＢＦＩはビームフォーミング情報を示し、ＢＳＲはＢＳＲ情報を示し、ＳＲはＳＲ情報を示す。ＣＱＩはチャネル品質を示すのに用いられ、ＰＭＩはプリコーディング行列を示すのに用いられ、ＰＴＩはプリコーディングタイプを示すのに用いられ、ＲＩはチャネル行列のランクを示すのに用いられる。ＡＣＫ／ＮＡＣＫは、データが正しく受信されたかどうかをフィードバックするのに用いられ、ＢＳＲはバッファステータスを報告するのに用いられ、ＳＲはスケジューリング要求を送信するのに用いられ、ＢＦＩは端末デバイスにより選択されるビームを基地局に報告するのに用いられる。
【０１３４】
任意選択的に、Ｎ個のＵＣＩの優先度は、ＢＦＩ＞ＡＣＫ／ＮＡＣＫ＞ＳＲ＞ＲＩ＞ＷＢのＣＱＩ／ＰＭＩ＞ＳＢのＣＱＩ／ＰＭＩ＞ＢＳＲのように降順で表されてよい。異なるビームには異なるＵＣＩがあり、ＵＣＩに対応するパラメータがビームに関連している。したがって、端末デバイスによってタイムリーに選択されるビームなどの情報をアクセスネットワークデバイスが正確に分析することを保証するには、本願のこの実施形態における方法に従って、ＢＦＩの優先度がＮ個のＵＣＩのうちの他のＵＣＩの優先度より高くなり得る。さらに、ＡＣＫ／ＮＡＣＫは、アクセスネットワークデバイスと端末デバイスとの間のデータ再伝送などの情報を決定し、ＳＲはさらに、ＳＲが伝送されなくても再伝送されてよい。ＳＲの伝送は、ＣＳＩの伝送と比較してより緊急性が高い。したがって、ＳＲの優先度は、ＡＣＫ／ＮＡＣＫの優先度より低いが、ＣＳＩの優先度より高くてよい。ＣＳＩに含まれる全てのＵＣＩでは、ＲＩの優先度がＷＢのＣＱＩ／ＰＭＩの優先度より高くてよく、ＷＢのＣＱＩ／ＰＭＩの優先度はＳＢのＣＱＩ／ＰＭＩの優先度より高くてよい。ＢＳＲが物理アップリンク共有チャネル（Ｐｈｙｓｉｃａｌ  Ｕｐｌｉｎｋ  Ｓｈａｒｅｄ  Ｃｈａｎｎｅｌ、略してＰＵＳＣＨ）を通じて伝送される場合、ＰＵＣＣＨの優先度はＰＵＳＣＨの優先度より高くてよく、したがって、ＢＳＲの優先度はＳＢのＣＱＩ／ＰＭＩの優先度より低くてよい。
【０１３５】
任意選択的に、Ｎ個のＵＣＩの優先度は、ＡＣＫ／ＮＡＣＫ＞ＢＦＩ＞ＳＲ＞ＲＩ＞ＷＢのＣＱＩ／ＰＭＩ＞ＳＢのＣＱＩ／ＰＭＩ＞ＢＳＲのように降順で表されてよい。ＡＣＫ／ＮＡＣＫは、アクセスネットワークデバイスにより端末デバイスに提供されるダウンリンクデータ用であり、したがって、アクセスネットワークデバイスでは、ダウンリンクデータを送信するのに用いられるビームなどのリソース情報が認識されており、Ｎ個のＵＣＩにおいて、ＢＦＩの優先度はＡＣＫ／ＮＡＣＫの優先度より低くてよい。
【０１３６】
任意選択的に、Ｎ個のＵＣＩの優先度は、ＡＣＫ／ＮＡＣＫ＞ＳＲ＞ＢＦＩ＞ＲＩ＞ＷＢのＣＱＩ／ＰＭＩ＞ＳＢのＣＱＩ／ＰＭＩ＞ＢＳＲのように降順で表されてよい。端末デバイスによりＳＲを送信するのに用いられるリソースが、アクセスネットワークデバイスにより実際に設定される。言い換えれば、端末デバイスによりＳＲを送信するのに用いられるビームに関係なく、アクセスネットワークデバイスが認識する必要があるのは、端末デバイスがアップリンクデータを送信する要件を有していることだけである。したがって、本願のこの実施形態における方法によれば、Ｎ個のＵＣＩにおいて、ＢＦＩの優先度はＳＲの優先度より低くてよい。
【０１３７】
任意選択的に、Ｎ個のＵＣＩの優先度は、ＡＣＫ／ＮＡＣＫ＞ＳＲ＞ＲＩ＞ＢＦＩ＞ＷＢのＣＱＩ／ＰＭＩ＞ＳＢのＣＱＩ／ＰＭＩ＞ＢＳＲのように降順で表されてよい。ＲＩが不正確に分析されると、少なくとも１つの符号語が分かりにくくなる。さらに、ＲＩの報告期間、すなわち、時間領域における送信期間は、事前設定された期間閾値より長い。ＲＩが分析されずに破棄されると、次の報告の待ち時間が比較的長くなる。したがって、本願のこの実施形態における方法によれば、Ｎ個のＵＣＩにおいて、ＢＦＩの優先度はさらに、ＲＩの優先度より低くなり得る。
【０１３８】
任意選択的に、Ｎ個のＵＣＩの優先度は、ＢＦＩ＞ＳＲ＞ＡＣＫ／ＮＡＣＫ＞ＲＩ＞ＷＢのＣＱＩ／ＰＭＩ＞ＳＢのＣＱＩ／ＰＭＩ＞ＢＳＲのように降順で表されてよい。ＳＲは、端末デバイスがアップリンクデータを送信するための要件を有する場合、アクセスネットワークデバイスに送信されるリソーススケジューリング要求である。しかしながら、ＡＣＫ／ＮＡＣＫは、アクセスネットワークデバイスにより送信されるダウンリンクデータに対する端末デバイスの受信フィードバックであり、アップリンクデータを送信するための要件はより緊急性が高い。したがって、本願のこの実施形態における方法によれば、Ｎ個のＵＣＩにおいて、ＳＲの優先度はさらにＡＣＫ／ＮＡＣＫの優先度より高くてよく、ＡＣＫ／ＮＡＣＫの優先度はＣＳＩの優先度より高い。
【０１３９】
任意選択的に、Ｎ個のＵＣＩの優先度は、ＢＦＩ＞ＡＣＫ／ＮＡＣＫ＞ＳＲ＞ＲＩ＞ＢＳＲ＞ＷＢのＣＱＩ／ＰＭＩ＞ＳＢのＣＱＩ／ＰＭＩのように降順で表されてよい。ＢＳＲは、端末デバイスにより送信されるアップリンクデータ量を含み、ＳＲ機能も有する。時間領域におけるＢＳＲの送信期間が時間領域におけるＣＱＩの送信期間より長い場合、次のＢＳＲの送信機会の待ち時間が長くなり、したがって、本願のこの実施形態における方法に従って、Ｎ個のＵＣＩでは、ＢＳＲの優先度はＷＢのＣＱＩ／ＰＭＩの優先度より高くてよい。
【０１４０】
任意選択的に、Ｎ個のＵＣＩの優先度は、ＢＦＩ＞ＡＣＫ／ＮＡＣＫ＞ＢＳＲ＞ＲＩ＞ＷＢのＣＱＩ／ＰＭＩ＞ＳＢのＣＱＩ／ＰＭＩのように降順で表されてよい。同じ時間単位で端末デバイスにより送信されるＮ個のＵＣＩにＳＲが存在するがＢＳＲが存在しない場合、本願のこの実施形態における方法に従って、Ｎ個のＵＣＩでは、ＢＳＲの優先度はＲＩの優先度より高くてよい。
【０１４１】
任意選択的に、本願のこの実施形態において提供される情報伝送方法では、端末デバイスがＳ２０２においてＮ個のＵＣＩの優先度に基づく時間単位でＭ個のＵＣＩをアクセスネットワークデバイスに送信する前に、端末デバイスは、ＵＣＩを搬送するリソースに対応するサブキャリア間隔（Ｓｕｂｃａｒｒｉｅｒ  Ｓｐａｃｉｎｇ、略してＳＣＳ）、ＵＣＩを搬送するリソースに対応する時間長、及びＵＣＩに対応する情報タイプ又はサービスタイプのうちの少なくとも１つを用いてＮ個のＵＣＩの優先度を決定してよい。
【０１４２】
任意選択的に、端末デバイスがＳ２０２においてＮ個のＵＣＩの優先度に基づいてＭ個のＵＣＩをアクセスネットワークデバイスに送信する前に、本方法はさらに、以下に挙げる段階を含んでよい。
【０１４３】
端末デバイスは、ＳＣＳに基づいてＵＣＩの優先度を決定する。ＳＣＳが大きいほど対応するＵＣＩの優先度が高いことを示し、言い換えれば、ＳＣＳが小さいほど対応するＵＣＩの優先度が低いことを示す。
【０１４４】
例えば、Ｎ＝３であり、全部で３つのＵＣＩがある。第１のＵＣＩを搬送するリソースがＰＵＣＣＨであり、当該ＰＵＣＣＨのＳＣＳは１５ｋＨｚであり、第２のＵＣＩを搬送するリソースがＰＵＣＣＨであり、当該ＰＵＣＣＨのＳＣＳが３０ｋＨｚであり、第３のＵＣＩを搬送するリソースがＰＵＣＣＨであり、当該ＰＵＣＣＨのＳＣＳが６０ｋＨｚである。第３のＵＣＩの優先度が第２のＵＣＩの優先度より高く、第２のＵＣＩの優先度が第１のＵＣＩの優先度より高い。言い換えれば、３つのＵＣＩでは、第３のＵＣＩの優先度が最も高く、第２のＵＣＩの優先度は２番目に高く、第１のＵＣＩの優先度は最も低い。
【０１４５】
あるいは、次の通りである。
【０１４６】
端末デバイスは時間長に基づいてＵＣＩの優先度を決定する。時間長が短いほど対応するＵＣＩの優先度が高いことを示し、時間長が長いほど対応するＵＣＩの優先度が低いことを示す。
【０１４７】
例えば、Ｎ＝３であり、全部で３つのＵＣＩがある。３つのＵＣＩを搬送するリソースがＰＵＣＣＨである。第１のＵＣＩを搬送するＰＵＣＣＨが１つのシンボルを有し、第２のＵＣＩを搬送するＰＵＣＣＨが３つのシンボルを有し、第３のＵＣＩを搬送するＰＵＣＣＨが２つのシンボルを有する。さらに、３つのＵＣＩの全てのシンボルの長さが同じである。第１のＵＣＩの優先度が最も高く、第２のＵＣＩの優先度が最も低く、第３のＵＣＩの優先度が２番目に高い。言い換えれば、第１のＵＣＩの優先度は第３のＵＣＩの優先度より高く、第３のＵＣＩの優先度は第２のＵＣＩの優先度より高い。
【０１４８】
あるいは、次の通りである。
【０１４９】
端末デバイスは情報タイプ又はサービスタイプに基づいてＵＣＩの優先度を決定する。情報タイプ又はサービスタイプの優先度が高いほど対応するＵＣＩの優先度が高いことを示す、言い換えれば、情報タイプ又はサービスタイプの優先度が低いほど対応するＵＣＩの優先度が低いことを示す。
【０１５０】
本願のこの実施形態においてＵＣＩに対応するサービスタイプは、アップリンクチャネルを通じて送信されるアップリンク情報のサービスタイプ、例えば、ｅＭＢＢサービス、ＭＴＣサービス、ＵＲＬＬＣサービスなどである。本願のこの実施形態においてＵＣＩに対応するＵＣＩ情報タイプは、いくつかのタイプのＵＣＩ、例えば、ＢＦＩ、ＢＳＲ、ＳＲ、ＲＩ、ＷＢのＣＱＩ／ＰＭＩ、ＳＢのＣＱＩ／ＰＭＩ、及びＡＣＫ／ＮＡＣＫを含む。
【０１５１】
ＢＦＩ、ＢＳＲ情報、及びＳＲ情報のうちの少なくとも１つのＵＣＩの優先度が、ＲＩ、ＷＢのＣＱＩ／ＰＭＩ、又はＳＢのＣＱＩ／ＰＭＩの優先度より高く、ＡＣＫ／ＮＡＣＫの優先度より低くてよい。ＵＣＩに対応する情報タイプの優先度が、上述した方式と同様の方式で決定されてよく、詳細は再度ここで説明しない。
【０１５２】
ＵＲＬＬＣサービスのＵＣＩの優先度がｅＭＢＢサービスのＵＣＩの優先度より高くてよく、ｅＭＢＢサービスのＵＣＩの優先度は、ｍＭＴＣサービスのＵＣＩの優先度より高くてよい。例えば、Ｎ個のＵＣＩが、第１のＵＣＩ、第２のＵＣＩ、及び第３のＵＣＩを含み、第１のＵＣＩがＵＲＬＬＣサービスのＵＣＩであり、第２のＵＣＩがｅＭＢＢサービスのＵＣＩであり、第３のＵＣＩがｍＭＴＣサービスＵＣＩである場合、Ｎ個のＵＣＩのうち、第１のＵＣＩの優先度は第２のＵＣＩの優先度より高くてよく、第２のＵＣＩの優先度は第３のＵＣＩの優先度より高くてよい。
【０１５３】
具体的には、本願のこの実施形態における方法によれば、端末デバイスは、Ｎ個のＵＣＩの各ＵＣＩを搬送するリソースに対応するＳＣＳに基づいて各ＵＣＩの優先度を決定してもよく、又は各ＵＣＩを搬送するリソースに対応する時間長に基づいて各ＵＣＩの優先度を決定してもよく、又は各ＵＣＩに対応する情報タイプ又はサービスタイプの優先度に基づいて各ＵＣＩの優先度を決定してもよい。この実施形態におけるサブキャリア間隔は、アップリンクチャネルを搬送するリソースのサブキャリア間隔である。サブキャリア間隔は、周波数領域における物理層のサブキャリア間隔、例えば、３．７５ｋＨｚ、７．５ｋＨｚ、１５ｋＨｚ、３０ｋＨｚ、６０ｋＨｚ、１２０ｋＨｚ、２４０ｋＨｚ、又は４８０ｋＨｚなどであってよい。
【０１５４】
この実施形態における時間長は、アップリンクチャネルを搬送するリソースの時間長、例えば、シンボル長、スロット長、及びサブフレーム長である。別の例では、長いＰＵＣＣＨの時間長が０．５ミリ秒又は１ミリ秒であってよく、短いＰＵＣＣＨの時間長が１つのシンボル又は２つのシンボルなどであってよい。１５ｋＨｚのＳＣＳの場合、１つのシンボルの長さは７１マイクロ秒であってよい。
【０１５５】
ＵＣＩを搬送するリソースはＵＣＩを搬送する時間−周波数リソースであってよく、時間−周波数リソースは、ＰＵＣＣＨ上の時間−周波数リソースであってよい。Ｎ個のＵＣＩの異なるＵＣＩを搬送するリソースが、同じ又は異なるＳＣＳに対応してよい。異なるサブキャリア間隔が異なる（時間領域）シンボル長に対応してよい。Ｎ個のＵＣＩのうちの複数のＵＣＩを搬送するリソースが同じＳＣＳに対応するとしても、すなわち、シンボル長が同じであっても、異なるＵＣＩを搬送するリソースが異なる時間長に対応してよく、その理由は、異なるＵＣＩを搬送するリソースのシンボルの個数が異なってもよいからである。
【０１５６】
図３は、本願の一実施形態によるサブフレームの時間−周波数リソースの概略構造図である。本願のこの実施形態に用いられる通信システム、例えば、５ＧのＮＲシステムの時間−周波数リソースが、時間領域において１０ミリ秒の無線フレームを複数含む。無線フレームは、１ミリ秒のサブフレームを１０個含み、サブフレームは２つのスロットを有する。時間−周波数リソースは、周波数領域において複数のサブキャリアを含んでよい。周波数領域にスケジューリングする粒度は、リソースブロックグループ（Ｒｅｓｏｕｒｃｅ  Ｂｌｏｃｋ  Ｇｒｏｕｐ、略してＲＢＧ）であってよく、リソースブロックグループは、複数のリソースブロック（Ｒｅｓｏｕｒｃｅ  Ｂｌｏｃｋ、略してＲＢ）ペアを含んでよい。ＲＢペアは、時間領域の１つのサブフレームと、周波数領域の１２個のサブキャリアとにより形成される２次元リソースブロックを含む。図３では、標準型巡回プレフィックス（Ｎｏｒｍａｌ  Ｃｙｃｌｉｃ  Ｐｒｅｆｉｘ、略してＮＣＰ）が一例として用いられている。ＮＣＰの場合、各スロットは７つのシンボルを含んでよく、ＲＢペアは１６８個の時間−周波数リソースエレメント（Ｒｅｓｏｕｒｃｅ  Ｅｌｅｍｅｎｔ、略してＲＥ）を含んでよい。拡張型巡回プレフィックス（Ｅｘｔｅｎｄｅｄ  Ｃｙｃｌｉｃ  Ｐｒｅｆｉｘ、略してＥＣＰ）（図３には示されていない）の場合、各スロットは６つのシンボルを含んでよく、ＲＢペアは１４４個のＲＥを含んでよい。
【０１５７】
ＵＣＩを搬送するリソースが、図３に示す少なくとも１つのＲＢを含んでもよく、又は時間領域の少なくとも１つのシンボルと周波数領域の少なくとも１つのサブキャリアとにより形成される少なくとも１つのＲＥを含んでもよい。
【０１５８】
図３のサブキャリアはさらに、ＳＣＳと呼ばれることがある。５ＧのＮＲシステムでは、サブフレームは複数の異なるＳＣＳを含んでよく、異なるＳＣＳが異なるシンボル長に対応してよい。言い換えれば、図３に示す時間−周波数リソースでは、シンボルの長さが異なってもよい。
【０１５９】
ＵＣＩを搬送するリソースに対応するＳＣＳは、周波数領域においてＵＣＩを搬送するリソースのサブキャリア間隔であってよい。ＵＣＩを搬送するリソースに対応する時間長は、時間領域においてＵＣＩを搬送するリソースの長さであってよい。表１は、本願のこの実施形態におけるＳＣＳとシンボル長との間の対応関係を記載している。
【表１】
0006849285.tif 000002
【０１６０】
本願のこの実施形態における方法によれば、周波数領域において異なる長さを有するＳＣＳが異なるシンボル長に対応し得ることが、表１から分かり得る。言い換えれば、異なるサブキャリア間隔が異なるシンボル長に対応し得る。ＳＣＳは、１５ｋＨｚ×２ｎであってよく、ｎは整数である。ＵＣＩを搬送するリソースに対応するＳＣＳは、８つのＳＣＳのうちのいずれか１つ、つまり、３．７５ｋＨｚ、７．５ｋＨｚ、…、４８０ｋＨｚであってよい。ＵＣＩを搬送するリソースに対応する時間長は、少なくとも１つのシンボルを含んでよく、各シンボルの長さは、ＵＣＩを搬送するリソースに対応するＳＣＳに基づき、表１を用いて決定されるシンボル長であってよい。表１のＦ０、Ｆ１、及びＦ２はそれぞれ、８つのＳＣＳのうちの任意の３つの異なるＳＣＳに対応し得る。
【０１６１】
Ｎ個のＵＣＩにおいて、１つのＵＣＩがＵＲＬＬＣサービスなどの低遅延サービスのＵＣＩである場合、当該ＵＣＩを搬送するリソースに対応するＳＣＳが大きいほど、当該ＵＣＩを搬送するリソースに対応するシンボルが短いことを示す。Ｎ個のＵＣＩにおいて、別のＵＣＩがｅＭＢＢサービス又はｍＭＴＣサービスなどの遅延非依存サービスのＵＣＩである場合、当該別のＵＣＩを搬送するリソースに対応するＳＣＳが小さいほど、当該別のＵＣＩを搬送するリソースに対応するシンボルが長いことを示す。したがって、本願のこの実施形態における方法によれば、ＵＣＩを搬送するリソースに対応するＳＣＳが大きいほどＵＣＩの優先度が高いことを示し、ＵＣＩを搬送するリソースに対応するＳＣＳが小さいほどＵＣＩの優先度が低いことを示す。あるいは、ＵＣＩを搬送するリソースに対応する時間長が短いほどＵＣＩの優先度が高いことを示し、ＵＣＩを搬送するリソースに対応する時間長が長いほどＵＣＩの優先度が低いことを示す。その結果、低遅延サービスのＵＣＩの優先度が比較的高く、遅延非依存サービスのＵＣＩの優先度が比較的低くなり、アクセスネットワークデバイスは低遅延サービスのＵＣＩを可能な限り効果的に受信し、低遅延サービスの信頼性及び遅延要件などが効果的に保証される。
【０１６２】
任意選択的に、端末デバイスがＳＣＳに基づいてＵＣＩの優先度を決定することはさらに、同じＳＣＳが用いられる場合、端末デバイスが情報タイプ又はサービスタイプに基づいてＵＣＩの優先度を決定する段階を含む。
【０１６３】
例えば、端末デバイスはまず、ＳＣＳに基づいてＵＣＩの優先度を決定する。ここで、Ｎ＝６つのＵＣＩであり、このうち２つのＵＣＩのＳＣＳが同じであり且つ最も高い優先度を有する。端末デバイスはさらに、ＵＣＩの情報タイプ又はサービスタイプに基づいてＵＣＩの優先度を決定する。例えば、第１のＵＣＩの情報タイプがＢＦＩであり、第２のＵＣＩの情報タイプがＣＱＩである場合、端末デバイスはＢＦＩを報告する。ＢＦＩの優先度がＣＱＩの優先度より高い。
【０１６４】
任意選択的に、端末デバイスがＳＣＳに基づいてＵＣＩの優先度を決定することはさらに、同じ時間長が用いられる場合、端末デバイスが情報タイプ又はサービスタイプに基づいてＵＣＩの優先度を決定する段階を含む。
【０１６５】
具体的には、Ｎ個のＵＣＩにおいて、複数のＵＣＩを搬送するリソースが同じＳＣＳ又は時間長に対応する場合、本願のこの実施形態において提供される方法に従って、端末デバイスはさらに、複数のＵＣＩの各ＵＣＩに対応する情報タイプ又はサービスタイプに基づいて各ＵＣＩの優先度を決定して、Ｎ個のＵＣＩを正確にソートし、次いで、Ｎ個のＵＣＩのうち最も優先度の高いＭ個のＵＣＩをアクセスネットワークデバイスに送信してよい。
【０１６６】
任意選択的に、端末デバイスが情報タイプ又はサービスタイプに基づいてＵＣＩの優先度を決定することはさらに、同じ情報タイプ又はサービスタイプが用いられる場合、端末デバイスがＳＣＳ又は時間長に基づいてＵＣＩの優先度を決定する段階を含む。
【０１６７】
Ｎ個のＵＣＩの中に同じ情報タイプ又はサービスタイプを有する複数のＵＣＩがある場合、本願のこの実施形態において提供される方法に従って、端末デバイスはさらに、同じ情報タイプを有する複数のＵＣＩの各ＵＣＩを搬送するリソースに対応するＳＣＳ又は時間長に基づいて各ＵＣＩの優先度を決定して、Ｎ個のＵＣＩを正確にソートし、次いで、Ｎ個のＵＣＩのうち最も優先度の高いＭ個のＵＣＩをアクセスネットワークデバイスに送信してよい。
【０１６８】
例えば、端末デバイスはまず、情報タイプに基づいてＵＣＩの優先度を決定する。ここでＮ＝６ｘ個のＵＣＩであり、このうち２つのＵＣＩの情報タイプが同じであり、且つＢＦＩなどの最も高い優先度を有する情報タイプである。端末デバイスはさらに、ＵＣＩのＳＣＳ又は時間長に基づいてＵＣＩの優先度を決定する。例えば、第１のＵＣＩが長いＰＵＣＣＨで搬送され、第２のＵＣＩが短いＰＵＣＣＨで搬送される。第２のＵＣＩの優先度が第１のＵＣＩの優先度より高く、端末デバイスは第２のＵＣＩを報告する。
【０１６９】
アクセスネットワークデバイス側では、ＵＣＩの優先度がＳＣＳに基づいてアクセスネットワークデバイスにより決定され、ＳＣＳが大きいほど対応するＵＣＩの優先度が高いことを示す、又は、ＵＣＩの優先度が時間長に基づいてアクセスネットワークデバイスにより決定され、時間長が短いほど対応するＵＣＩの優先度が高いことを示す、又は、ＵＣＩの優先度が情報タイプ若しくはサービスタイプに基づいてアクセスネットワークデバイスにより決定され、情報タイプ又はサービスタイプの優先度が高いほど対応するＵＣＩの優先度が高いことを示す。
【０１７０】
任意選択的に、ＵＣＩの優先度がＳＣＳに基づいてアクセスネットワークデバイスにより決定され、且つ同じＳＣＳが用いられる場合、ＵＣＩの優先度は情報タイプ又はサービスタイプに基づいてアクセスネットワークデバイスにより決定される。
【０１７１】
任意選択的に、ＵＣＩの優先度が時間長に基づいてアクセスネットワークデバイスにより決定され、且つ同じ時間長が用いられる場合、ＵＣＩの優先度は情報タイプ又はサービスタイプに基づいてアクセスネットワークデバイスにより決定される。
【０１７２】
任意選択的に、ＵＣＩの優先度が情報タイプ又はサービスタイプに基づいてアクセスネットワークデバイスにより決定され、且つ同じ情報タイプ又はサービスタイプが用いられる場合、ＵＣＩの優先度はＳＣＳ又は時間長に基づいてアクセスネットワークデバイスにより決定される。
【０１７３】
特に、ＳＣＳ、時間長、及び情報タイプ又はサービスタイプに基づく、アクセスネットワークデバイスによるＵＣＩの優先度決定の具体的な実装例及び有益な効果については、端末デバイスによるＵＣＩの優先度決定に関する前述の説明を参照されたい。詳細は再度ここで説明しない。
【０１７４】
任意選択的に、端末デバイスがＳ２０２においてＮ個のＵＣＩの優先度に基づいてＭ個のＵＣＩをアクセスネットワークデバイスに送信することは、端末デバイスがＮ個のＵＣＩの優先度に基づいてＭ個のＵＣＩをアクセスネットワークデバイスにＰＵＣＣＨを通じて送信する段階を含んでよい。
【０１７５】
図４は、本願の一実施形態による別の情報伝送方法のフローチャートである。図４に示すように、本方法では、前に示したように、端末デバイスがＮ個のＵＣＩの優先度に基づいてＭ個のＵＣＩをアクセスネットワークデバイスにＰＵＣＣＨを通じて送信することは、以下に挙げる段階を含む。
【０１７６】
Ｓ４０１：Ｎ個のＵＣＩのビット総数がＰＵＣＣＨで搬送できる最大ビット数より多い場合、端末デバイスはＮ個のＵＣＩの優先度に基づいてＭ個のＵＣＩをアクセスネットワークデバイスにＰＵＣＣＨを通じて送信する。Ｍ個のＵＣＩのビット総数は、ＰＵＣＣＨで搬送できる最大ビット数より少ないかそれに等しい。
【０１７７】
任意選択的に、アクセスネットワークデバイスが端末デバイスにより送信されるＵＣＩを可能な限り受信することを保証するために、Ｍは、優先度に基づいてＰＵＣＣＨで搬送できるＵＣＩの最大個数であってよい。
【０１７８】
具体的には、Ｍ個のＵＣＩに基づいて、残りの（Ｎ−Ｍ）個のＵＣＩのうち最も優先度の高い１つのＵＣＩが追加された場合、追加されたＵＣＩを有する全てのＵＣＩのビット総数が、ＰＵＣＣＨで搬送できる最大ビット数より多くなる。言い換えれば、（Ｍ＋１）個のＵＣＩのビット総数が、ＰＵＣＣＨで搬送できる最大ビット数より多い。
【０１７９】
任意選択的に、Ｓ４０１において、Ｎ個のＵＣＩのビット総数がＰＵＣＣＨで搬送できる最大ビット数より多い場合、端末デバイスがＮ個のＵＣＩの優先度に基づいてＭ個のＵＣＩをアクセスネットワークデバイスにＰＵＣＣＨを通じて送信する前に、本方法はさらに、以下に挙げる段階を含んでよい。
【０１８０】
Ｓ４０１ａ：端末デバイスは、Ｎ個のＵＣＩのビット総数を、ＰＵＣＣＨで搬送できる最大ビット数と比較する。
【０１８１】
Ｎ個のＵＣＩのビット総数がＰＵＣＣＨで搬送できる最大ビット数より多い場合、Ｓ４０１を実行する。Ｎ個のＵＣＩのビット総数がＰＵＣＣＨで搬送できる最大ビット数より小さいかそれに等しい場合、本方法では、端末デバイスは、Ｎ個のＵＣＩをアクセスネットワークデバイスに送信してよい。
【０１８２】
本願のこの実施形態における方法によれば、Ｎ個のＵＣＩのビット総数がＰＵＣＣＨで搬送できる最大ビット数より多い場合、Ｎ個のＵＣＩのうち最も優先度の高いＭ個のＵＣＩがアクセスネットワークデバイスに送信されてよく、これにより、ＰＵＣＣＨを通じてＮ個のＵＣＩを報告する際の競合を効果的に防ぎ、ＵＣＩ報告成功率を保証し、データ伝送性能及びサービス要件を効果的に保証することができる。
【０１８３】
任意選択的に、アクセスネットワークデバイスが（Ｎ−Ｍ）個のＵＣＩに対応するＭ個のＵＣＩを端末デバイスから受信した後に、本方法はさらに、（Ｎ−Ｍ）個のＵＣＩに対応した、現時点に最も近い過去のパラメータをアクセスネットワークデバイスが決定する段階を含んでよい。
【０１８４】
具体的には、（Ｎ−Ｍ）個のＵＣＩに対応した、現時点に最も近い過去のパラメータは、端末デバイスにより最後に報告された、（Ｎ−Ｍ）個のＵＣＩのパラメータであってよい。（Ｎ−Ｍ）個のＵＣＩに対応する過去のパラメータを決定した後に、アクセスネットワークデバイスは、（Ｎ−Ｍ）個のＵＣＩに対応する過去のパラメータを用いて、（Ｎ−Ｍ）個のＵＣＩに対応するオペレーションを実行してよい。
【０１８５】
Ｍ個のＵＣＩを端末デバイスから受信した後に、アクセスネットワークデバイスはさらに、（Ｎ−Ｍ）個のＵＣＩに対応した、現時点に最も近い過去のパラメータを決定し、次に、（Ｎ−Ｍ）個のＵＣＩに対応した過去のパラメータを用いて、ＵＣＩ報告の競合を防ぎ、ＵＣＩ報告成功率を向上させ、さらにアクセスネットワークデバイスが少量のＵＣＩを受信した場合にサービス要件を効果的に保証する。（Ｎ−Ｍ）個のＵＣＩに対応した、現時点に最も近い過去のパラメータは、端末デバイスのサービス要件を保証するのに用いられる。
【０１８６】
本願の一実施形態がさらに、端末デバイスを提供し得る。端末デバイスは、図２又は図４において端末デバイスにより実行される任意の情報伝送方法を実行してよい。図５は、本願による端末デバイスの概略構造図である。図５に示すように、端末デバイス５００は、同じ時間単位で送信する必要があるＮ個のアップリンク制御情報ＵＣＩを決定するように構成された処理モジュール５０１であって、Ｎは２より大きいか２に等しい整数であり、Ｎ個のＵＣＩはビームフォーミング情報、バッファステータス報告情報、及びスケジューリング要求情報のうちの少なくとも１つを含む、処理モジュール５０１と、Ｎ個のＵＣＩの優先度に基づいてＭ個のＵＣＩをアクセスネットワークデバイスに送信するように構成された送信モジュール５０２であって、Ｍ個のＵＣＩの優先度がＮ個のＵＣＩのうちの他の（Ｎ−Ｍ）個のＵＣＩの優先度より高く、ＭはＮより小さいかＮに等しい正の整数である、送信モジュール５０２とを含んでよい。
【０１８７】
任意選択的に、端末デバイス５００はさらに、アクセスネットワークデバイスから指示情報を受信するように構成された受信モジュール５０３を含んでよく、処理モジュール５０１はさらに、同じ時間単位で送信する必要があるＮ個のＵＣＩを指示情報に基づいて決定するように構成される。
【０１８８】
任意選択的に、Ｎ個のＵＣＩはさらにＣＳＩを含み、ビームフォーミング情報、バッファステータス報告情報、及びスケジューリング要求情報のうちの少なくとも１つのＵＣＩの優先度は、ＣＳＩの優先度より高い。
【０１８９】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは両方とも正の整数である。
【０１９０】
任意選択的に、Ｎ個のＵＣＩはさらにＡＣＫ／ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【０１９１】
任意選択的に、処理モジュール５０１はさらに、ＳＣＳに基づいてＵＣＩの優先度を決定するように構成され、ＳＣＳが大きいほど対応するＵＣＩの優先度が高ことを示す、又は、時間長に基づいてＵＣＩの優先度を決定するように構成され、時間長が短いほど対応するＵＣＩの優先度が高いことを示す、又は、情報タイプ若しくはサービスタイプに基づいてＵＣＩの優先度を決定するように構成され、情報タイプ若しくはサービスタイプの優先度が高いほど対応するＵＣＩの優先度が高いことを示す。
【０１９２】
任意選択的に、処理モジュール５０１はさらに、ＳＣＳに基づいてＵＣＩの優先度を決定し、同じＳＣＳが用いられる場合には、情報タイプ又はサービスタイプに基づいてＵＣＩの優先度を決定するように構成される。
【０１９３】
任意選択的に、処理モジュール５０１はさらに、時間長に基づいてＵＣＩの優先度を決定し、同じ時間長が用いられる場合には、情報タイプ又はサービスタイプに基づいてＵＣＩの優先度を決定するように構成される。
【０１９４】
任意選択的に、処理モジュール５０１はさらに、情報タイプ又はサービスタイプに基づいてＵＣＩの優先度を決定し、同じ情報タイプ又はサービスタイプが用いられる場合には、ＳＣＳ又は時間長に基づいてＵＣＩの優先度を決定するように構成される。
【０１９５】
任意選択的に、送信モジュール５０２はさらに、Ｎ個のＵＣＩの優先度に基づいて、Ｍ個のＵＣＩをアクセスネットワークデバイスにＰＵＣＣＨを通じて送信するように構成される。    
【０１９６】
任意選択的に、送信モジュール５０２はさらに、Ｎ個のＵＣＩのビット総数がＰＵＣＣＨで搬送できる最大ビット数より多い場合、Ｎ個のＵＣＩの優先度に基づいて、Ｍ個のＵＣＩをアクセスネットワークデバイスにＰＵＣＣＨを通じて送信するように構成され、Ｍ個のＵＣＩのビット総数がＰＵＣＣＨで搬送できる最大ビット数より少ないかそれに等しい。
【０１９７】
任意選択的に、本願の一実施形態がさらに、端末デバイスを提供し得る。図６は、本願のこの実施形態による別の端末デバイスの概略構造図である。図６に示すように、端末デバイス６００は、プロセッサ６０１、送信機６０２、及び受信機６０３を含んでよい。プロセッサ６０１は送信機６０２に接続されてよい。プロセッサ６０１はさらに、受信機６０３に接続されてよい。
【０１９８】
前に示した処理モジュール５０１は、メモリに格納されたプログラム命令を呼び出すプロセッサ６０１によって実現されてよい。前に示した送信モジュール５０２は、送信機６０２を制御するプロセッサ６０１によって実現されてよい。受信モジュール５０３は、受信機６０３を制御するプロセッサ６０１によって実現されてよい。
【０１９９】
任意選択的に、本願の一実施形態がさらに、コンピュータプログラム製品を提供する。図７は、本願のこの実施形態によるコンピュータプログラム製品の概略構造図である。図７に示すように、コンピュータプログラム製品７００は、プログラムコード７０１を含んでよい。
【０２００】
プログラムコード７０１は、本願の実施形態の図２又は図４において端末デバイスにより実行される任意の情報伝送方法を実行するのに用いられる対応するプログラムコードであってよい。コンピュータプログラム製品７００に含まれるプログラムコード７０１は、例えば、図６に示す端末デバイス６００に含まれるプロセッサ６０１により実行されてよい。
【０２０１】
任意選択的に、本願の一実施形態がさらに、記憶媒体を提供する。図８は、本願のこの実施形態による記憶媒体の概略構造図である。図８に示すように、記憶媒体８００は、コンピュータプログラム製品８０１を格納するように構成されてよい。コンピュータプログラム製品８０１はプログラムコード８０２を含んでよい。
【０２０２】
プログラムコード８０２は、本願の実施形態の図２又は図４において端末デバイスにより実行される任意の情報伝送方法を実行するのに用いられる対応するプログラムコードであってよい。
【０２０３】
記憶媒体８００は、図６に示す端末デバイス６００に含まれる内部メモリであってもよく、又は図６に示す端末デバイス６００に接続された外部記憶装置であってもよい。コンピュータプログラム製品８０１に含まれるプログラムコード８０２は、例えば、図６に示す端末デバイス６００に含まれるプロセッサ６０１により実行されてよい。
【０２０４】
本願の実施形態において提供される端末デバイス、コンピュータプログラム製品、及び記憶媒体は、図２又は図４において端末デバイスにより実行される任意の情報伝送方法を実行してよい。端末デバイス、コンピュータプログラム製品、及び記憶媒体の具体的な実装例及び有益な効果については、前述の説明を参照されたい。詳細は再度ここで説明しない。
【０２０５】
本願の一実施形態がさらに、アクセスネットワークデバイスを提供する。アクセスネットワークデバイスは、図２又は図４においてアクセスネットワークデバイスにより実行される任意の情報伝送方法を実行してよい。図９は、本願のこの実施形態によるアクセスネットワークデバイスの概略構造図である。図９に示すように、アクセスネットワークデバイス９００は、指示情報を端末デバイスに送信するように構成された送信モジュール９０１であって、指示情報はＮ個のＵＣＩの時間単位情報を端末デバイスに示すのに用いられ、時間単位情報は、ある時間単位で搬送する必要があるＮ個のＵＣＩを決定するのに用いられ、Ｎは２より大きいか２に等しい整数であり、Ｎ個のＵＣＩは、ビームフォーミング情報、バッファステータス報告情報、及びスケジューリング要求情報のうちの少なくとも１つを含む、送信モジュール９０１と、Ｍ個のＵＣＩを端末デバイスから受信するように構成された受信モジュール９０２であって、Ｍ個のＵＣＩの優先度がＮ個のＵＣＩのうちの他の（Ｎ−Ｍ）個のＵＣＩの優先度より高く、ＭはＮより小さいかＮに等しい正の整数である、受信モジュール９０２とを含んでよい。
【０２０６】
任意選択的に、Ｎ個のＵＣＩはさらにＣＳＩを含み、ビームフォーミング情報、バッファステータス報告情報、及びスケジューリング要求情報のうちの少なくとも１つのＵＣＩの優先度は、ＣＳＩの優先度より高い。
【０２０７】
任意選択的に、時間領域におけるビームフォーミング情報の送信期間がＴ個の事前設定時間長であり、時間領域におけるＣＳＩの送信期間がＰ個の事前設定時間長であり、Ｔ≧Ｐであり、Ｔ及びＰは正の整数である。
【０２０８】
任意選択的に、Ｎ個のＵＣＩはさらにＡＣＫ／ＮＡＣＫを含み、ビームフォーミング情報、バッファステータス報告情報、及びスケジューリング要求情報のうちの少なくとも１つのＵＣＩの優先度は、ＡＣＫ／ＮＡＣＫの優先度より低い。
【０２０９】
任意選択的に、ＵＣＩの優先度がＳＣＳに基づいてアクセスネットワークデバイスにより決定され、ＳＣＳが大きいほど対応するＵＣＩの優先度が高いことを示す、又は、ＵＣＩの優先度が時間長に基づいてアクセスネットワークデバイスにより決定され、時間長が短いほど対応するＵＣＩの優先度が高いことを示す、又は、ＵＣＩの優先度が情報タイプ若しくはサービスタイプに基づいてアクセスネットワークデバイスにより決定され、情報タイプ又はサービスタイプの優先度が高いほど対応するＵＣＩの優先度が高いことを示す。
【０２１０】
任意選択的に、ＵＣＩの優先度がＳＣＳに基づいてアクセスネットワークデバイスにより決定され、且つ同じＳＣＳが用いられる場合、ＵＣＩの優先度は情報タイプ又はサービスタイプに基づいてアクセスネットワークデバイスにより決定される。
【０２１１】
任意選択的に、ＵＣＩの優先度が時間長に基づいてアクセスネットワークデバイスにより決定され、且つ同じ時間長が用いられる場合、ＵＣＩの優先度は情報タイプ又はサービスタイプに基づいてアクセスネットワークデバイスにより決定される。
【０２１２】
任意選択的に、ＵＣＩの優先度が情報タイプ又はサービスタイプに基づいてアクセスネットワークデバイスにより決定され、且つ同じ情報タイプ又はサービスタイプが用いられる場合、ＵＣＩの優先度はＳＣＳ又は時間長に基づいてアクセスネットワークデバイスにより決定される。
【０２１３】
任意選択的に、受信モジュール９０２はさらに、ＰＵＣＣＨを通じてＭ個のＵＣＩを受信するように構成される。
【０２１４】
任意選択的に、受信モジュール９０２はさらに、Ｎ個のＵＣＩのビット総数がＰＵＣＣＨで搬送できる最大ビット数より多い場合、端末デバイスにより送信されるＭ個のＵＣＩをＰＵＣＣＨを通じて受信するように構成され、Ｍ個のＵＣＩのビット総数がＰＵＣＣＨで搬送できる最大ビット数より少ないかそれに等しい。
【０２１５】
任意選択的に、アクセスネットワークデバイス９００はさらに、（Ｎ−Ｍ）個のＵＣＩに対応した、現時点に最も近い過去のパラメータを決定するように構成された処理モジュール９０３を含む。
【０２１６】
任意選択的に、本願の一実施形態がさらに、アクセスネットワークデバイスを提供し得る。図１０は、本願のこの実施形態による別のアクセスネットワークデバイスの概略構造図である。図１０に示すように、アクセスネットワークデバイス１０００は、プロセッサ１００１、送信機１００２、及び受信機１００３を含んでよい。プロセッサ１００１は、送信機１００２及び受信機１００３に別々に接続される。
【０２１７】
前に示した送信モジュール９０１は、メモリに格納されたプログラム命令を呼び出して送信機１００２を制御するプロセッサ１００１により実現されてよい。前に示した受信モジュール９０２は、メモリに格納されたプログラム命令を呼び出して受信機１００３を制御するプロセッサ１００１によって実現されてよい。前に示した処理モジュール９０３は、メモリに格納されたプログラム命令を呼び出すプロセッサ１００１により実現されてよい。
【０２１８】
任意選択的に、本願の一実施形態がさらに、コンピュータプログラム製品を提供する。図１１は、本願のこの実施形態による別のコンピュータプログラム製品の概略構造図である。図１１に示すように、コンピュータプログラム製品１１００は、プログラムコード１１０１を含んでよい。
【０２１９】
プログラムコード１１０１は、本願の実施形態の図２又は図４においてアクセスネットワークデバイスにより実行される任意の情報伝送方法を実行するのに用いられる対応するプログラムコードであってよい。コンピュータプログラム製品１１００に含まれるプログラムコード１１０１は、例えば、図１０に示すアクセスネットワークデバイス１０００に含まれるプロセッサ１００１により実行されてよい。
【０２２０】
任意選択的に、本願の一実施形態がさらに、記憶媒体を提供する。図１２は、本願のこの実施形態による別の記憶媒体の概略構造図である。図１２に示すように、記憶媒体１２００は、コンピュータプログラム製品１２０１を格納するように構成されてよい。コンピュータプログラム製品１２０１はプログラムコード１２０２を含んでよい。
【０２２１】
プログラムコード１２０２は、本願の実施形態の図２又は図４においてアクセスネットワークデバイスにより実行される任意の情報伝送方法を実行するのに用いられる対応するプログラムコードであってよい。
【０２２２】
記憶媒体１２００は、図１０に示すアクセスネットワークデバイス１０００に含まれる内部メモリであってもよく、又は図１０に示すアクセスネットワークデバイス１０００に接続された外部記憶装置であってもよい。コンピュータプログラム製品１２０１に含まれるプログラムコード１２０２は、例えば、図１０に示すアクセスネットワークデバイス１０００に含まれるプロセッサ１００１により実行されてよい。
【０２２３】
本願の実施形態において提供されるアクセスネットワークデバイス、コンピュータプログラム製品、及び記憶媒体は、図２又は図４においてアクセスネットワークデバイスにより実行される任意の情報伝送方法を実行してよい。アクセスネットワークデバイス、コンピュータプログラム製品、及び記憶媒体の具体的な実装例及び有益な効果については、前述の説明を参照されたい。詳細は再度ここで説明しない。
【０２２４】
当業者であれば、方法の実施形態の段階の全て又は一部が、関連するハードウェアに命令するプログラムにより実現されてよいことを理解するであろう。プログラムは、コンピュータ可読記憶媒体に格納されてよい。プログラムが起動すると、方法の実施形態の各段階が実行される。前述の記憶媒体は、プログラムコードを格納できる任意の媒体、例えば、ＲＯＭ、ＲＡＭ、磁気ディスク、又は光ディスクなどを含む。
【０２２５】
最後に、前述の実施形態は、単に本願の技術的解決手段を説明することを意図したものであり、本願を限定することを意図したものではないことに留意されたい。本願は前述の実施形態を参照して詳細に説明されているが、当業者であれば、本願の実施形態の技術的解決手段の範囲から逸脱することなく、依然として、前述の実施形態において説明された技術的解決手段に修正を施すか、又はこれらの技術的解決手段の一部又は全ての技術的特徴に等価な置き換えを行い得ることを理解するはずである。
（項目１）
情報伝送方法であって、
同じ時間単位で送信する必要があるＮ個のアップリンク制御情報ＵＣＩを端末デバイスが決定する段階であって、Ｎは２より大きいか２に等しい整数であり、上記Ｎ個のＵＣＩは、ビームフォーミング情報、バッファステータス報告情報、及びスケジューリング要求情報のうちの少なくとも１つを含む、段階と、
上記端末デバイスが上記Ｎ個のＵＣＩの優先度に基づいてＭ個のＵＣＩをアクセスネットワークデバイスに送信する段階であって、上記Ｍ個のＵＣＩの優先度が上記Ｎ個のＵＣＩのうちの他の（Ｎ−Ｍ）個のＵＣＩの優先度より高く、ＭはＮより小さいかＮに等しい正の整数である、段階と
を備える方法。
（項目２）
上記Ｎ個のＵＣＩはさらにチャネル状態情報ＣＳＩを含み、上記ビームフォーミング情報、上記バッファステータス報告情報、及び上記スケジューリング要求情報のうちの少なくとも１つのＵＣＩの優先度が上記ＣＳＩの優先度より高い、項目１に記載の方法。
（項目３）
上記ＣＳＩは、プリコーティング行列指標ＰＭＩ及びチャネル品質指標ＣＱＩのうちの少なくとも１つを含む、項目２に記載の方法。
（項目４）
上記ＰＭＩは、ワイドバンドＷＢのＰＭＩ及び／又はサブバンドＳＢのＰＭＩを含む、項目３に記載の方法。
（項目５）
上記ＣＱＩは、ワイドバンドＷＢのＣＱＩ及び／又はサブバンドＳＢのＣＱＩを含む、項目３に記載の方法。
（項目６）
時間領域における上記ビームフォーミング情報の送信期間がＴ個の事前設定時間長であり、時間領域における上記ＣＳＩの送信期間がＰ個の事前設定時間長であり、Ｔ≧Ｐであり、Ｔ及びＰは両方とも正の整数である、項目２に記載の方法。
（項目７）
上記Ｎ個のＵＣＩはさらに確認応答ＡＣＫ／否定応答ＮＡＣＫを含み、上記ビームフォーミング情報、上記バッファステータス報告情報、及び上記スケジューリング要求情報のうちの上記少なくとも１つのＵＣＩの上記優先度は、上記ＡＣＫ／ＮＡＣＫの優先度より低い、項目１から６のいずれか一項に記載の方法。
（項目８）
上記端末デバイスが上記Ｎ個のＵＣＩの優先度に基づいてＭ個のＵＣＩをアクセスネットワークデバイスに上記送信する段階の前に、上記方法はさらに、
上記端末デバイスがサブキャリア間隔ＳＣＳに基づいてＵＣＩの優先度を決定する段階であって、ＳＣＳが大きいほど対応するＵＣＩの優先度が高いことを示す、段階、又は、
上記端末デバイスが時間長に基づいてＵＣＩの優先度を決定する段階であって、時間長が短いほど対応するＵＣＩの優先度が高いことを示す、段階、又は、
上記端末デバイスが対応する情報タイプ又はサービスタイプに基づいてＵＣＩの優先度を決定する段階であって、情報タイプ又はサービスタイプの優先度が高いほど対応するＵＣＩの優先度が高いことを示す、段階
を備える、項目１に記載の方法。
（項目９）
上記端末デバイスがサブキャリア間隔ＳＣＳに基づいてＵＣＩの優先度を上記決定する段階はさらに、
同じＳＣＳが用いられる場合、上記端末デバイスが上記情報タイプ又は上記サービスタイプに基づいて上記ＵＣＩの優先度を決定する段階を含む、項目８に記載の方法。
（項目１０）
上記端末デバイスが時間長に基づいてＵＣＩの優先度を上記決定する段階はさらに、
同じ時間長が用いられる場合、上記端末デバイスが上記情報タイプ又は上記サービスタイプに基づいて上記ＵＣＩの優先度を決定する段階を含む、項目８に記載の方法。
（項目１１）
上記端末デバイスが情報タイプ又はサービスタイプに基づいてＵＣＩの優先度を上記決定する段階はさらに、
同じ情報タイプ又はサービスタイプが用いられる場合、上記端末デバイスが上記ＳＣＳ又は上記時間長に基づいて上記ＵＣＩの優先度を決定する段階を含む、項目８に記載の方法。
（項目１２）
情報伝送方法であって、
アクセスネットワークデバイスが指示情報を端末デバイスに送信する段階であって、上記指示情報は、Ｎ個のアップリンク制御情報ＵＣＩの時間単位情報を上記端末デバイスに示すのに用いられ、上記時間単位情報は、ある時間単位で搬送する必要がある上記Ｎ個のＵＣＩを決定するのに用いられ、Ｎは２より大きいか２に等しい整数であり、上記Ｎ個のＵＣＩは、ビームフォーミング情報、バッファステータス報告情報、及びスケジューリング要求情報のうちの少なくとも１つを含む、段階と、
上記アクセスネットワークデバイスが上記Ｎ個のＵＣＩのうちのＭ個のＵＣＩを上記端末デバイスから受信する段階であって、上記Ｍ個のＵＣＩの優先度が上記Ｎ個のＵＣＩのうちの他の（Ｎ−Ｍ）個のＵＣＩの優先度より高く、ＭはＮより小さい正の整数である、段階と
を備える、方法。
（項目１３）
上記Ｎ個のＵＣＩはさらにチャネル状態情報ＣＳＩを含み、上記ビームフォーミング情報、上記バッファステータス報告情報、及び上記スケジューリング要求情報のうちの少なくとも１つのＵＣＩの優先度が上記ＣＳＩの優先度より高い、項目１２に記載の方法。
（項目１４）
上記ＣＳＩは、プリコーティング行列指標ＰＭＩ及びチャネル品質指標ＣＱＩのうちの少なくとも１つを含む、項目１３に記載の方法。
（項目１５）
上記ＰＭＩは、ワイドバンドＷＢのＰＭＩ及び／又はサブバンドＳＢのＰＭＩを含む、項目１４に記載の方法。
（項目１６）
上記ＣＱＩは、ワイドバンドＷＢのＣＱＩ及び／又はサブバンドＳＢのＣＱＩを含む、項目１４に記載の方法。
（項目１７）
時間領域における上記ビームフォーミング情報の送信期間がＴ個の事前設定時間長であり、時間領域における上記ＣＳＩの送信期間がＰ個の事前設定時間長であり、Ｔ≧Ｐであり、Ｔ及びＰは正の整数である、項目１３に記載の方法。
（項目１８）
上記Ｎ個のＵＣＩはさらに確認応答ＡＣＫ／否定応答ＮＡＣＫを含み、上記ビームフォーミング情報、上記バッファステータス報告情報、及び上記スケジューリング要求情報のうちの上記少なくとも１つのＵＣＩの上記優先度は、上記ＡＣＫ／ＮＡＣＫの優先度より低い、項目１２から１７のいずれか一項に記載の方法。
（項目１９）
ＵＣＩの優先度がサブキャリア間隔ＳＣＳに基づいて上記アクセスネットワークデバイスにより決定され、ＳＣＳが大きいほど対応するＵＣＩの優先度が高いことを示す、又は、
ＵＣＩの優先度が時間長に基づいて上記アクセスネットワークデバイスにより決定され、時間長が短いほど対応するＵＣＩの優先度が高いことを示す、又は、
ＵＣＩの優先度が情報タイプ若しくはサービスタイプの優先度に基づいて上記アクセスネットワークデバイスにより決定され、情報タイプ若しくはサービスタイプの優先度が高いほど対応するＵＣＩの優先度が高いことを示す、項目１２に記載の方法。
（項目２０）
上記ＵＣＩの優先度が上記ＳＣＳに基づいて上記アクセスネットワークデバイスにより決定され、且つ同じＳＣＳが用いられる場合、上記ＵＣＩの優先度は、上記情報タイプ又は上記サービスタイプに基づいて上記アクセスネットワークデバイスにより決定される、項目１９に記載の方法。
（項目２１）
上記ＵＣＩの優先度が上記情報タイプ又は上記サービスタイプに基づいて上記アクセスネットワークデバイスにより決定され、且つ同じ情報タイプ又はサービスタイプが用いられる場合、上記ＵＣＩの優先度は、上記ＳＣＳ又は上記時間長に基づいて上記アクセスネットワークデバイスにより決定される、項目１９に記載の方法。
（項目２２）
同じ時間単位で送信する必要があるＮ個のアップリンク制御情報ＵＣＩを決定するように構成された処理モジュールであって、Ｎは２より大きいか２に等しい整数であり、上記Ｎ個のＵＣＩは、ビームフォーミング情報、バッファステータス報告情報、及びスケジューリング要求情報のうちの少なくとも１つを含む、処理モジュールと、
上記Ｎ個のＵＣＩの優先度に基づいてＭ個のＵＣＩをアクセスネットワークデバイスに送信するように構成された送信モジュールであって、上記Ｍ個のＵＣＩの優先度が上記Ｎ個のＵＣＩのうちの他の（Ｎ−Ｍ）個のＵＣＩの優先度より高く、ＭはＮより小さいかＮに等しい正の整数である、送信モジュールと
を備える端末デバイス。
（項目２３）
上記Ｎ個のＵＣＩはさらにチャネル状態情報ＣＳＩを含み、上記ビームフォーミング情報、上記バッファステータス報告情報、及び上記スケジューリング要求情報のうちの少なくとも１つのＵＣＩの優先度が上記ＣＳＩの優先度より高い、項目２２に記載の端末デバイス。
（項目２４）
上記ＣＳＩは、プリコーティング行列指標ＰＭＩ及びチャネル品質指標ＣＱＩのうちの少なくとも１つを含む、項目２３に記載の端末デバイス。
（項目２５）
上記ＰＭＩは、ワイドバンドＷＢのＰＭＩ及び／又はサブバンドＳＢのＰＭＩを含む、項目２４に記載の端末デバイス。
（項目２６）
上記ＣＱＩは、ワイドバンドＷＢのＣＱＩ及び／又はサブバンドＳＢのＣＱＩを含む、項目２４に記載の端末デバイス。
（項目２７）
時間領域における上記ビームフォーミング情報の送信期間がＴ個の事前設定時間長であり、時間領域における上記ＣＳＩの送信期間がＰ個の事前設定時間長であり、Ｔ≧Ｐであり、Ｔ及びＰは両方とも正の整数である、項目２３に記載の端末デバイス。
（項目２８）
上記Ｎ個のＵＣＩはさらに確認応答ＡＣＫ／否定応答ＮＡＣＫを含み、上記ビームフォーミング情報、上記バッファステータス報告情報、及び上記スケジューリング要求情報のうちの上記少なくとも１つのＵＣＩの上記優先度は、上記ＡＣＫ／ＮＡＣＫの優先度より低い、項目２２から２７のいずれか一項に記載の端末デバイス。
（項目２９）
上記処理モジュールはさらに、
サブキャリア間隔ＳＣＳに基づいてＵＣＩの優先度を決定するように構成され、ＳＣＳが大きいほど対応するＵＣＩの優先度が高いことを示す、又は、
時間長に基づいてＵＣＩの優先度を決定するように構成され、時間長が短いほど対応するＵＣＩの優先度が高いことを示す、又は、
情報タイプ若しくはサービスタイプに基づいてＵＣＩの優先度を決定するように構成され、情報タイプ若しくはサービスタイプの優先度が高いほど対応するＵＣＩの優先度が高いことを示す、項目２２に記載の端末デバイス。
（項目３０）
上記処理モジュールはさらに、上記ＳＣＳに基づいて上記ＵＣＩの優先度を決定し、同じＳＣＳが用いられる場合には、上記情報タイプ又は上記サービスタイプに基づいて上記ＵＣＩの優先度を決定するように構成される、項目２９に記載の端末デバイス。
（項目３１）
上記処理モジュールはさらに、上記時間長に基づいて上記ＵＣＩの優先度を決定し、同じ時間長が用いられる場合には、上記情報タイプ又は上記サービスタイプに基づいて上記ＵＣＩの優先度を決定するように構成される、項目２９に記載の端末デバイス。
（項目３２）
上記処理モジュールはさらに、上記情報タイプ又は上記サービスタイプに基づいて上記ＵＣＩの優先度を決定し、同じ情報タイプ又はサービスタイプが用いられる場合には、上記ＳＣＳ又は上記時間長に基づいて上記ＵＣＩの優先度を決定するように構成される、項目２９に記載の端末デバイス。
（項目３３）
指示情報を端末デバイスに送信するように構成された送信モジュールであって、上記指示情報はＮ個のアップリンク制御情報ＵＣＩの時間単位情報を上記端末デバイスに示すのに用いられ、上記時間単位情報は、ある時間単位で搬送する必要がある上記Ｎ個のＵＣＩを決定するのに用いられ、Ｎは２より大きいか２に等しい整数であり、上記Ｎ個のＵＣＩは、ビームフォーミング情報、バッファステータス報告情報、及びスケジューリング要求情報のうちの少なくとも１つを含む、送信モジュールと、
Ｍ個のＵＣＩを上記端末デバイスから受信するように構成された受信モジュールであって、上記Ｍ個のＵＣＩの優先度が上記Ｎ個のＵＣＩのうちの他の（Ｎ−Ｍ）個のＵＣＩの優先度より高く、ＭはＮより小さいかＮに等しい正の整数である、受信モジュールと
を備えるアクセスネットワークデバイス。
（項目３４）
上記Ｎ個のＵＣＩはさらにチャネル状態情報ＣＳＩを含み、上記ビームフォーミング情報、上記バッファステータス報告情報、及び上記スケジューリング要求情報のうちの少なくとも１つのＵＣＩの優先度が上記ＣＳＩの優先度より高い、項目３３に記載のアクセスネットワークデバイス。
（項目３５）
上記ＣＳＩは、プリコーティング行列指標ＰＭＩ及びチャネル品質指標ＣＱＩのうちの少なくとも１つを含む、項目３４に記載のアクセスネットワークデバイス。
（項目３６）
上記ＰＭＩは、ワイドバンドＷＢのＰＭＩ及び／又はサブバンドＳＢのＰＭＩを含む、項目３５に記載のアクセスネットワークデバイス。
（項目３７）
上記ＣＱＩは、ワイドバンドＷＢのＣＱＩ及び／又はサブバンドＳＢのＣＱＩを含む、項目３５に記載のアクセスネットワークデバイス。
（項目３８）
時間領域における上記ビームフォーミング情報の送信期間がＴ個の事前設定時間長であり、時間領域における上記ＣＳＩの送信期間がＰ個の事前設定時間長であり、Ｔ≧Ｐであり、Ｔ及びＰは両方とも正の整数である、項目３４に記載のアクセスネットワークデバイス。
（項目３９）
上記Ｎ個のＵＣＩはさらに確認応答ＡＣＫ／否定応答ＮＡＣＫを含み、上記ビームフォーミング情報、上記バッファステータス報告情報、及び上記スケジューリング要求情報のうちの上記少なくとも１つのＵＣＩの上記優先度は、上記ＡＣＫ／ＮＡＣＫの優先度より低い、項目３３から３８のいずれか一項に記載のアクセスネットワークデバイス。
（項目４０）
ＵＣＩの優先度がサブキャリア間隔ＳＣＳに基づいて上記アクセスネットワークデバイスにより決定され、ＳＣＳが大きいほど対応するＵＣＩの優先度が高いことを示す、又は、
ＵＣＩの優先度が時間長に基づいて上記アクセスネットワークデバイスにより決定され、時間長が短いほど対応するＵＣＩの優先度が高いことを示す、又は、
ＵＣＩの優先度が情報タイプ若しくはサービスタイプの優先度に基づいて上記アクセスネットワークデバイスにより決定され、情報タイプ若しくはサービスタイプの優先度が高いほど対応するＵＣＩの優先度が高いことを示す、項目３３に記載のアクセスネットワークデバイス。
（項目４１）
上記ＵＣＩの優先度が上記ＳＣＳに基づいて上記アクセスネットワークデバイスにより決定され、且つ同じＳＣＳが用いられる場合、上記ＵＣＩの優先度は、上記情報タイプ又は上記サービスタイプに基づいて上記アクセスネットワークデバイスにより決定される、項目４０に記載のアクセスネットワークデバイス。
（項目４２）
上記ＵＣＩの優先度が上記情報タイプ又は上記サービスタイプに基づいて上記アクセスネットワークデバイスにより決定され、且つ同じ情報タイプ又はサービスタイプが用いられる場合、上記ＵＣＩの優先度は、上記ＳＣＳ又は上記時間長に基づいて上記アクセスネットワークデバイスにより決定される、項目４０に記載のアクセスネットワークデバイス。
【図１】
0006849285.tif 000003
【図２】
0006849285.tif 000004
【図３】
0006849285.tif 000005
【図４】
0006849285.tif 000006
【図５】
0006849285.tif 000007
【図６】
0006849285.tif 000008
【図７】
0006849285.tif 000009
【図８】
0006849285.tif 000010
【図９】
0006849285.tif 000011
【図１０】
0006849285.tif 000012
【図１１】
0006849285.tif 000013
【図１２】
0006849285.tif 000014